(57)【要約】  本開示は、最小限のシステム情報メッセージを第１の無線基地局から受信する受信機を備えるユーザ機器に関する。ＵＥによって取得できる第１の無線セルのシステム情報は、最小限のＳＩメッセージ内および追加のＳＩメッセージ内で運ばれる。最小限のＳＩメッセージが、第１の無線セルにアクセスするためのシステム情報およびシステム情報インデックスを含み、システム情報インデックスの各々が、追加のＳＩメッセージのうちの１つに関連付けられる。ＳＩメッセージのインデックスが、値タグおよびエリアポインタを含み、エリアポインタが、既に定義されている１つのエリアを示す。処理回路が、同じ値タグおよび同じエリアに関連付けられている追加のＳＩメッセージを、ＵＥが既に取得しているかどうかを判定する。この判定が肯定的である場合、処理回路は、取得された前述の追加のＳＩメッセージに含まれるシステム情報が第１の無線セルに適用可能であると決定する。【選択図】図１２
2020523847.tif 000002
【特許請求の範囲】
【請求項１】
動作時に、最小限のシステム情報メッセージを、移動通信システムの第１の無線セルを制御する第１の無線基地局から受信する受信機であって、ユーザ機器によって取得できる第１の無線セルのシステム情報が、前記最小限のシステム情報メッセージ内および１つまたは複数の追加のシステム情報メッセージ内で運ばれ、前記最小限のシステム情報メッセージが、前記第１の無線セルにアクセスするためのシステム情報を含んでおり、かつ少なくとも１つのシステム情報インデックスを含んでおり、各システム情報インデックスが、前記追加のシステム情報メッセージのうちの１つに関連付けられており、
前記システム情報メッセージのインデックスが、値タグおよびエリアポインタを含んでおり、前記エリアポインタが、すでに定義されている１つのエリアを指し示している、受信機と、
動作時に、前記最小限のシステム情報メッセージ内で受信された前記システム情報インデックスによって示されたのと同じ値タグおよび同じエリアに関連付けられている前記追加のシステム情報メッセージを前記ユーザ機器が前にすでに取得しているかどうかを判定する、処理回路と、
を備え、
前記判定が肯定的である場合、前記処理回路が、動作時に、前に取得された前記追加のシステム情報メッセージに含まれるシステム情報が前記第１の無線セルに適用可能であると決定する、
ユーザ機器。
【請求項２】
前記判定が否定的である場合、前記処理回路が、動作時に、前に取得された前記追加のシステム情報メッセージに含まれるシステム情報を前記第１の無線セルに適用できないと決定し、前記第１の無線セルの前記追加のシステム情報メッセージを前記第１の無線基地局から取得すると決定する、
請求項１に記載のユーザ機器。
【請求項３】
エリアタイプリストが前記ユーザ機器に格納され、前記エリアタイプリスト内の各項目が、リスト番号およびエリアタイプに関連付けられ、前記エリアポインタが、前記エリアタイプリストのリスト番号を示し、
前記処理回路が、動作時に、前記エリアポインタおよび前記エリアタイプリストに基づいて前記エリアタイプを決定し、前記決定されたエリアタイプおよび前記決定されたエリアタイプのすでに取得されているエリア識別情報に基づいて、エリア識別情報を決定し、
任意選択的に、前記処理回路が、動作時に、前記決定されたエリアタイプおよび決定されたエリア識別情報に基づいて、前に取得された前記追加のシステム情報メッセージを同じエリアに適用できるかどうかを判定する、
請求項１または２に記載のユーザ機器。
【請求項４】
前記エリアタイプが、
追跡エリア、
無線アクセスネットワークのＲＡＮベースの通知エリア、
限定加入者グループエリア、
無線セル、
システム情報エリアのうちの１つである、
請求項３に記載のユーザ機器。
【請求項５】
前記受信機が、動作時に、第２の最小限のシステム情報メッセージを前記第１の無線セルの前記第１の無線基地局から受信し、前記第２の最小限のシステム情報メッセージが、前記第１の無線セルにアクセスするためのシステム情報を含んでおり、かつ１つの拡張システム情報インデックスを含んでおり、前記拡張システム情報インデックスが前記追加のシステム情報メッセージのうちの１つに関連付けられており、
前記拡張システム情報インデックスが、値タグおよびシステム情報エリアの識別情報を含んでおり、
前記処理回路が、動作時に、前記ユーザ機器が、前記拡張システム情報インデックスに含まれるのと同じ値タグおよび同じシステム情報エリアに関連付けられている前記追加のシステム情報メッセージを前にすでに取得しているかどうかを判定し、
前記判定が肯定的である場合、前記処理回路が、動作時に、前に取得された前記追加のシステム情報メッセージに含まれる前記システム情報が前記第１の無線セルに適用可能であると決定する、
請求項３または４に記載のユーザ機器。
【請求項６】
前記ユーザ機器が、対応するエリア識別情報を含むエリアリストを取得し、前記エリアリスト内の各項目が、リスト番号およびエリア識別情報に関連付けられ、前記エリアポインタが、前記エリアリストのリスト番号を示し、
前記処理回路が、動作時に、前記エリアポインタおよび前記エリアリストに基づいて前記エリア識別情報を決定し、
任意選択的に、前記ユーザ機器が、前記エリアリストを前記受信された最小限のシステム情報メッセージから取得し、
任意選択的に、前記処理回路が、動作時に、前記決定されたエリア識別情報に基づいて、前に取得された前記追加のシステム情報メッセージを同じエリアに適用できるかどうかを判定する、
請求項１または２に記載のユーザ機器。
【請求項７】
前記最小限のシステム情報メッセージが、前記第１の無線セル内の前記ユーザ機器によって取得され得る追加のシステム情報メッセージごとに、１つのシステム情報インデックスを含む、
請求項１〜６のいずれか一項に記載のユーザ機器。
【請求項８】
前記追加のシステム情報メッセージのうちの１つまたは複数が、前記第１の無線セル内の前記第１の無線基地局によってブロードキャストされるか、または前記ユーザ機器によって、前記第１の無線基地局に対して同じ追加のシステム情報メッセージを要求するときに取得され得る、
請求項１〜７のいずれか一項に記載のユーザ機器。
【請求項９】
前記処理回路が、動作時に、前記関連付けられた追加のシステム情報メッセージに関連して、前記システム情報インデックスの前記受信された値タグおよび前記システム情報インデックスによって示された前記エリアに関する情報を格納し、
任意選択的に、前記エリアに関する前記格納された情報が、前記示されたエリアのタイプに関する情報および前記示されたエリアの識別に関する情報を含む、
請求項１〜８のいずれか一項に記載のユーザ機器。
【請求項１０】
前記受信機が、動作時に、第２の最小限のシステム情報メッセージを前記第１の無線セルの前記第１の無線基地局から受信し、前記第２の最小限のシステム情報メッセージが、前記第１の無線セルにアクセスするためのシステム情報を含んでおり、かつ第２のシステム情報インデックスを含んでおり、前記第２のシステム情報インデックスが、前記ユーザ機器が前にすでに取得した追加のシステム情報メッセージに関連付けられており、
前記処理回路が、動作時に、前記すでに取得されている追加のシステム情報メッセージに関連付けられた前記値タグの値が、前記最小限のシステム情報メッセージの前記第２のシステム情報インデックスに含まれる前記値タグの値と異なっていると決定したときに、前記すでに取得されているシステム情報メッセージの内容が変化したと決定し、
前記処理回路が、動作時に、前記すでに取得されている追加のシステム情報メッセージの前記内容が変化したと決定したときに、前記追加のシステム情報メッセージを再取得すると決定する、
請求項１〜９のいずれか一項に記載のユーザ機器。
【請求項１１】
前にすでに取得された前記システム情報メッセージが、前記ユーザ機器が異なる無線セル内または前記第１の無線セル内にあったときに、前記ユーザ機器の前記受信機によって受信された、
請求項１〜１０のいずれか一項に記載のユーザ機器。
【請求項１２】
前記ユーザ機器が、第２の無線基地局の制御下で、第２の無線セルに移動しており、前記受信機が、動作時に、前記ユーザ機器が追加のシステム情報メッセージを要求するときに前記第２の無線セル内で取得できる１つの追加のシステム情報メッセージに関連付けられた少なくとも１つのシステム情報インデックスを、前記第１の無線基地局から受信し、
送信機が、動作時に、前記第２の無線セルに関連付けられた前記システム情報インデックスで示された前記１つの追加のシステム情報メッセージを取得するための要求を、前記第２の無線基地局に送信し、任意選択的に、前記要求が、前記第２の無線基地局に移動するときに、前記ユーザ機器と前記第２の無線基地局の間で実行されるランダムアクセスチャネル手順のメッセージで、前記送信機によって送信され、
任意選択的に、前記受信機が、動作時に、前記要求の送信に使用される前記メッセージの後に、前記ランダムアクセスチャネル手順のメッセージで、前記要求された追加のシステム情報メッセージを、前記第２の無線基地局から受信する、
請求項１〜１１のいずれか一項に記載のユーザ機器。
【請求項１３】
前記ユーザ機器が、第２の無線基地局の制御下で、第２の無線セルに移動しており、前記ユーザ機器が前記第２の無線セル内で取得できる少なくとも１つの追加のシステム情報メッセージが、同じ追加のシステム情報メッセージを要求するときに使用可能になり、
前記受信機が、動作時に、ランダムアクセスチャネル手順のメッセージで、前記追加のシステム情報メッセージを、前記第２の無線基地局から受信する、
請求項１〜１１のいずれか一項に記載のユーザ機器。
【請求項１４】
動作時に、無線基地局によって制御される第１の無線セルにアクセスするためのシステム情報を含んでおり、かつ少なくとも１つのシステム情報インデックスを含む最小限のシステム情報メッセージを生成する処理回路であって、ユーザ機器によって取得できる前記第１の無線セルのシステム情報が、前記最小限のシステム情報メッセージ内および１つまたは複数の追加のシステム情報メッセージ内で運ばれ、各システム情報インデックスが、前記追加のシステム情報メッセージのうちの１つに関連付けられており、
前記システム情報メッセージのインデックスが、値タグおよびエリアポインタを含んでおり、前記エリアポインタが、すでに定義されている１つのエリアを指し示している、処理回路と、
動作時に、前記最小限のシステム情報メッセージを前記ユーザ機器に送信する送信機と、
を備える無線基地局。
【請求項１５】
前記送信機が、動作時に、前記追加のシステム情報メッセージのうちの１つまたは複数を前記ユーザ機器に送信し、
任意選択的に、前記処理回路が、動作時に、前記関連付けられた追加のシステム情報メッセージを適用できるエリアを示すために、前記システム情報インデックスの前記エリアポインタの値を決定する、
請求項１４に記載の無線基地局。
【請求項１６】
前記エリアポインタが、エリアタイプリストのリスト番号を示し、前記エリアタイプリスト内の各項目が、リスト番号およびエリアタイプに関連付けられ、
前記処理回路が、動作時に、前記追加のシステム情報メッセージを適用できる前記エリアタイプに関連付けられた前記リスト番号を決定し、前記決定されたリスト番号を示すために、その追加のシステム情報メッセージの前記システム情報インデックス内の前記エリアポインタを設定し、
任意選択的に、前記エリアタイプが、追跡エリア、無線アクセスネットワーク、ＲＡＮベースの通知エリア、限定加入者グループエリア、無線セル、システム情報エリアのうちの１つである、
請求項１４または１５に記載の無線基地局。
【請求項１７】
前記処理回路が、動作時に、値タグおよびシステム情報エリアの識別情報を含むために、１つの追加のシステム情報メッセージに関連付けられるシステム情報インデックスを生成する、
請求項１４〜１６のいずれか一項に記載の無線基地局。
【請求項１８】
前記エリアポインタが、エリアリストのリスト番号を示し、前記エリアリストの各項目が、リスト番号およびエリア識別情報に関連付けられ、
前記処理回路が、動作時に、前記追加のシステム情報を適用できる前記エリア識別情報に関連付けられた前記リスト番号を決定し、前記決定されたリスト番号を示すために、その追加のシステム情報メッセージの前記システム情報インデックス内の前記エリアポインタを設定し、
任意選択的に、前記処理回路が、動作時に、前記エリアリストを含むために、前記最小限のシステム情報メッセージを生成する、
請求項１４または１５に記載の無線基地局。
【請求項１９】
前記ユーザ機器が、第２の無線基地局の制御下で、第２の無線セルに移動しており、前記無線基地局が、動作時に、前記ユーザ機器が追加のシステム情報メッセージを要求するときに前記第２の無線セル内で取得できる１つの追加のシステム情報メッセージに関連付けられた少なくとも１つのシステム情報インデックスを、前記第２の無線基地局から受信する、受信機を備えており、
前記送信機が、動作時に、前記第２の無線セルに関連する前記受信された少なくとも１つのシステム情報インデックスを前記ユーザ機器に送信し、
前記受信機が、動作時に、前記第２の無線セルに関連付けられた前記システム情報インデックスで示された前記１つの追加のシステム情報メッセージを取得するための要求を、前記ユーザ機器から受信し、任意選択的に、前記要求が、前記第２の無線基地局に移動するときに、前記ユーザ機器と前記第２の無線基地局の間で実行されるランダムアクセスチャネル手順のメッセージで、前記受信機によって受信される、
請求項１４〜１８のいずれか一項に記載の無線基地局。
【発明の詳細な説明】
【技術分野】
【０００１】
本開示は、３ＧＰＰ通信システムなどの通信システムにおける方法、デバイス、および製品を対象にする。
【背景技術】
【０００２】
現在、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、第５世代（５Ｇ：ｆｉｆｔｈ  ｇｅｎｅｒａｔｉｏｎ）とも呼ばれる次世代携帯電話技術の技術仕様書の次回リリース（リリース１５）に取り組んでいる。３ＧＰＰ技術仕様書グループ（ＴＳＧ：Ｔｅｃｈｎｉｃａｌ  Ｓｐｅｃｉｆｉｃａｔｉｏｎ  Ｇｒｏｕｐ）無線アクセスネットワーク（ＲＡＮ：Ｒａｄｉｏ  Ａｃｃｅｓｓ  ｎｅｔｗｏｒｋ）第７１回会議（イェーテボリ、２０１６年３月）で、ＲＡＮ１、ＲＡＮ２、ＲＡＮ３、およびＲＡＮ４を含む５Ｇの最初の検討事項「新しい無線アクセス技術に関する検討」が承認され、最初の５Ｇ規格を定義するリリース１５の作業項目になると期待されている。この検討事項の目的は、ＲＡＮ要件の検討中に定義された、最大１００ＧＨｚの周波数範囲内で動作し、広範囲のユースケースをサポートする「新しい無線（ＮＲ：Ｎｅｗ  Ｒａｄｉｏ）」アクセス技術（ＲＡＴ：Ｒａｄｉｏ  ａｃｃｅｓｓ  ｔｅｃｈｎｏｌｏｇｙ）を開発することである（例えば、ｗｗｗ．３ｇｐｐ．ｏｒｇで提供されており、参照によってその全体が本明細書に組み込まれている非特許文献１を参照）。
【０００３】
１つの目的は、少なくとも大容量・高速通信（ｅＭＢＢ：ｅｎｈａｎｃｅｄ  ｍｏｂｉｌｅ  ｂｒｏａｄｂａｎｄ）、高信頼・超低遅延通信（ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ）、多数同時接続マシンタイプ通信（ｍＭＴＣ：ｍａｓｓｉｖｅ  ｍａｃｈｉｎｅ  ｔｙｐｅ  ｃｏｍｍｕｎｉｃａｔｉｏ）を含む、非特許文献１で定義されているすべての利用シナリオ、要件、および展開シナリオに対処する単一の技術的フレームワークを提供することである。第２の目的は、前方互換性を実現することである。ロングタームエボリューション（ＬＴＥ、ＬＴＥ−Ａ：Ｌｏｎｇ  Ｔｅｒｍ  Ｅｖｏｌｕｔｉｏｎ）携帯電話システムへの後方互換性は必要とされず、これによって、全く新しいシステム設計および／または新しい特徴の導入を容易にする。
【０００４】
基礎的な物理レイヤの信号波形は、非直交波形および多重アクセスをサポートする可能性のあるＯＦＤＭに基づく。例えば、ＤＦＴ−Ｓ−ＯＦＤＭ、および／またはＤＦＴ−Ｓ−ＯＦＤＭの変形、および／またはフィルタリング／ウィンドウイングなど、ＯＦＤＭの上への追加機能がさらに検討されている。ＬＴＥでは、ＣＰベースのＯＦＤＭおよびＤＦＴ−Ｓ−ＯＦＤＭが、ダウンリンク送信およびアップリンク送信用の波形としてそれぞれ使用される。ＮＲにおける設計目標の１つは、ダウンリンク、アップリンク、およびサイドリンクに共通する波形をできる限り探すことである。
【０００５】
前述の目的を達成するために、波形に加えて、いくつかの基本フレーム構造およびチャネル符号化方式が開発される。この検討では、前述の目的を達成するために、無線プロトコル構造およびアーキテクチャに関して何が必要かについての共通の理解も探し求めなければならない。さらに、スペクトルの同じ隣接するブロック上でのさまざまなサービスおよびユースケースのトラフィックの効率的な多重化を含む、新しいＲＡＴが前述の目的を満たすために必要な技術的特徴が検討されなければならない。
【先行技術文献】
【非特許文献】
【０００６】
【非特許文献１】3GPP TR 38.913 "Study on Scenarios and Requirements for Next Generation Access Technologies", current version 14.2.0
【非特許文献２】Technical Report TR 38.804 v14.0.0
【非特許文献３】TS 38.300 v.0.4.1, section 4
【非特許文献４】3GPP TR 38.801 v14.0.0
【非特許文献５】TR 38.301
【非特許文献６】TS 38.300 v0.2.0
【非特許文献７】3GPP TS 36.321, section 5.1. v14.1.0
【非特許文献８】3GPP TS 36.331 v14.2.2, section 5.4
【非特許文献９】3GPP 36.423 v14.2.0 section 8.2
【非特許文献１０】3GPP TS 36.304 v14.2.0
【非特許文献１１】3GPP TS 24.301 v14.3.0
【非特許文献１２】3GPP Technical Specification TS 36.331 v14.1.0, section 5.2 "System information"
【発明の概要】
【発明が解決しようとする課題】
【０００７】
３ＧＰＰの第５世代システムのＮＲの標準化は始まったばかりであるため、不明確なままである複数の問題が存在する。例えば、ネットワークによるシステム情報の提供およびＵＥによるシステム情報の各取得を処理する方法についての議論が行われた。基地局によってシステム情報を配信するため、およびＵＥによってシステム情報を取得するための効果的なプロセスを確立して定義することが重要である。
【課題を解決するための手段】
【０００８】
１つの非限定的な実施形態例は、さまざまなエンティティ（ＵＥ、ｇＮＢ）が参加しているシステム情報の手順の改善を促進する。
【０００９】
１つの一般的な態様では、本明細書で開示される技術は、ユーザ機器を特徴とする。ユーザ機器は、最小限のシステム情報メッセージを、移動通信システムの第１の無線セルを制御する第１の無線基地局から受信する、受信機を備える。ユーザ機器によって取得できる第１の無線セルのシステム情報は、最小限のシステム情報メッセージ内および１つまたは複数の追加のシステム情報メッセージ内で運ばれる。最小限のシステム情報メッセージは、第１の無線セルにアクセスするためのシステム情報を含み、少なくとも１つのシステム情報インデックスを含む。各システム情報インデックスは、追加のシステム情報メッセージのうちの１つに関連付けられる。システム情報メッセージのインデックスは、値タグおよびエリアポインタを含み、エリアポインタは、すでに定義されている１つのエリアを指し示す。ユーザ機器は、最小限のシステム情報メッセージ内で受信されたシステム情報インデックスによって示されたのと同じ値タグおよび同じエリアに関連付けられている追加のシステム情報メッセージをユーザ機器が前にすでに取得しているかどうかを判定する、処理回路を備える。この判定が肯定的である場合、処理回路は、前に取得された前述の追加のシステム情報メッセージに含まれるシステム情報が第１の無線セルに適用可能であると決定する。
【００１０】
１つの一般的な態様では、本明細書で開示される技術は、無線基地局を特徴とする。無線基地局は、無線基地局によって制御される第１の無線セルにアクセスするためのシステム情報を含み、少なくとも１つのシステム情報インデックスを含む最小限のシステム情報メッセージを生成する、処理回路を備える。ユーザ機器によって取得できる第１の無線セルのシステム情報は、最小限のシステム情報メッセージ内および１つまたは複数の追加のシステム情報メッセージ内で運ばれる。各システム情報インデックスは、追加のシステム情報メッセージのうちの１つに関連付けられる。システム情報メッセージのインデックスは、値タグおよびエリアポインタを含む。エリアポインタは、すでに定義されている１つのエリアを指し示す。無線基地局は、最小限のシステム情報メッセージをユーザ機器に送信する送信機を備える。
【００１１】
一般的な実施形態または特定の実施形態が、システム、方法、集積回路、コンピュータプログラム、ストレージ媒体、またはこれらの任意の選択的組み合わせとして実装されてよいことに、注意するべきである。
【００１２】
開示される実施形態のその他の利益および優位性が、本明細書および各図から明らかになるであろう。それらの利益および／または優位性は、本明細書および図面のさまざまな実施形態および特徴によって個別に得られてよく、それらの実施形態および特徴は、そのような利益および／または優位性のうちの１つまたは複数を得るために、すべて提供される必要はない。
【００１３】
以下では、添付の図および図面を参照して、実施形態例がさらに詳細に説明される。
【図面の簡単な説明】
【００１４】
【図１】３ＧＰＰ  ＮＲシステムの例示的なアーキテクチャを示す図である。
【図２】ＬＴＥ  ｅＮＢ、ｇＮＢ、およびＵＥの例示的なユーザプレーンおよび制御プレーンのアーキテクチャを示す図である。
【図３】５Ｇ  ＮＲのユーザプレーンのプロトコルスタックを示す図である。
【図４】５Ｇ  ＮＲの制御プレーンのプロトコルスタックを示す図である。
【図５】コンテンションベースのＲＡＣＨ手順を実行するときにｅＮＢとＵＥの間で交換されるメッセージを示す図である。
【図６】コンテンションフリーのＲＡＣＨ手順を実行するときにｅＮＢとＵＥの間で交換されるメッセージを示す図である。
【図７】ＬＴＥ通信システムのＸ２ハンドオーバ手順に関する例示的なシグナリングを示す図である。
【図８】３つのＲＡＮベースの通知エリアを示す図であり、それぞれ、複数のｇＮＢおよびエリア１のｇＮＢ１に接続されたＵＥで構成されている。
【図９】５Ｇ  ＮＲに関して現在議論されているシステム情報取得のメッセージ交換を示す図である。
【図１０】ＵＥおよびｅＮＢの例示的な簡略化された構造を示す図である。
【図１１】ｇＮＢ１の無線セルに位置するＵＥが、ｇＮＢ２によって制御される無線セル２に向かって移動している例示的なシナリオを示す図である。
【図１２】改善されたシステム情報取得手順のためにＵＥで実行される動作のフローチャートを示す図である。
【図１３】対応する追加のＳＩメッセージのシステム情報インデックスを示す図であり、それぞれ、エリアポインタおよび値タグで構成されている。
【図１４】エリアポインタとエリアタイプの間の関連付けを示す図である。
【図１５】図１３にすでに示されたシステム情報インデックスの例示的な実装を示す図である。
【図１６】異なる追加のＳＩメッセージに関する、異なるエリアタイプおよび異なるシステム情報の有効エリアの例示的な定義を示す図である。
【図１７】対応する追加のＳＩメッセージのシステム情報インデックスを示す図であり、システム情報インデックスのうちの１つはエリアＩＤおよび値タグを含んでおり、他のシステム情報インデックスは、エリアポインタおよび値テキストを含む。
【図１８】エリアポインタとエリアＩＤのリストの間の関連付けを示す図である。
【図１９】対応する追加のＳＩメッセージのシステム情報インデックスを示す図であり、それぞれ、エリアポインタおよび値タグで構成されている。
【発明を実施するための形態】
【００１５】
＜本開示の基礎＞
＜５Ｇ  ＮＲのシステムアーキテクチャおよびプロトコルスタック＞
背景技術の節で示したように、３ＧＰＰは、最大１００ＧＨｚに及ぶ周波数で動作する新しい無線アクセス技術（ＮＲ）の開発を含む、第５世代携帯電話技術（略して５Ｇと呼ばれる）の次回リリースに取り組んでいる。３ＧＰＰは、差し迫った市場の必要性とより長期間の要件の両方をタイムリーに満たすＮＲシステムの標準化に成功するために必要な技術要素を識別し、開発する必要がある。これを達成するために、無線インタフェースおよび無線ネットワークアーキテクチャの進化が、検討事項「新しい無線アクセス技術」において検討されている。その結果および合意内容が、参照によってその全体が本明細書に組み込まれている非特許文献２にまとめられている。
【００１６】
特に、システムアーキテクチャ全体に関する暫定的合意が行われた。ＮＧ−ＲＡＮ（Ｎｅｘｔ  Ｇｅｎｅｒａｔｉｏｎ  −  Ｒａｄｉｏ  Ａｃｃｅｓｓ  Ｎｅｔｗｏｒｋ：次世代無線アクセスネットワーク）は、ｇＮＢで構成され、ＮＧ無線アクセスのユーザプレーン（ＳＤＡＰ／ＰＤＣＰ／ＲＬＣ／ＭＡＣ／ＰＨＹ）および制御プレーン（ＲＲＣ）のプロトコル終端を、ＵＥに向かって提供する。ｇＮＢは、Ｘｎインタフェースを用いて相互接続される。ｇＮＢは、次世代（ＮＧ：Ｎｅｘｔ  Ｇｅｎｅｒａｔｉｏｎ）インタフェースを用いてＮＧＣ（Ｎｅｘｔ  Ｇｅｎｅｒａｔｉｏｎ  Ｃｏｒｅ：次世代コア）にも接続され、より具体的には、ＮＧ−Ｃインタフェースを用いてＡＭＦ（アクセスおよびモビリティ管理機能：Ａｃｃｅｓｓ  ａｎｄ  Ｍｏｂｉｌｉｔｙ  Ｍａｎａｇｅｍｅｎｔ  Ｆｕｎｃｔｉｏｎ）に接続され、ＮＧ−Ｕインタフェースを用いてＵＰＦ（ユーザプレーン機能：Ｕｓｅｒ  Ｐｌａｎｅ  Ｆｕｎｃｔｉｏｎ）に接続される。ＮＧ−ＲＡＮアーキテクチャが図１に示されており、この図は、参照によって本明細書に組み込まれている非特許文献３から選択されている。
【００１７】
例えば、参照によってその全体が本明細書に組み込まれている非特許文献４に反映されているように、サポートされようとしているさまざまな異なる展開シナリオが現在議論されている。例えば、５Ｇ  ＮＲをサポートする基地局を展開できる非集中型の展開シナリオ（非特許文献４の第５．２節）が提示されている（非特許文献４の第５．４節では、集中型の展開が示されている）。図２は、非特許文献５の図５．２．−１に基づく例示的な非集中型の展開シナリオを示しており、さらに、ＬＴＥ  ｅＮＢおよびｇＮＢとＬＴＥ  ｅＮＢの両方に接続されたユーザ機器（ＵＥ：ｕｓｅｒ  ｅｑｕｉｐｍｅｎｔ）を示している（ＬＴＥ  ｅＮＢは、ＬＴＥおよびＬＴＥ−Ａなどに関する以前の３ＧＰＰ規格のリリースに従うｅＮＢとして理解されるべきである）。前述したように、ＮＲ  ５Ｇの新しいｅＮＢは、例示的にｇＮＢと呼ばれることがある。
【００１８】
非特許文献４において例示的に定義されているｅＬＴＥ  ｅＮＢは、ＥＰＣ（進化型パケットコア：Ｅｖｏｌｖｅｄ  Ｐａｃｋｅｔ  Ｃｏｒｅ）およびＮＧＣ（次世代コア）への接続をサポートする、ｅＮＢの進化型である。
【００１９】
非特許文献６の第４．４．１節において現在定義されている、ＮＲに関するユーザプレーンのプロトコルスタックが、図３に示されている。ＰＤＣＰサブレイヤ、ＲＬＣサブレイヤ、およびＭＡＣサブレイヤが、ネットワーク側のｇＮＢで終端されている。さらに、非特許文献６の第６．５項において説明されているように、新しいアクセス層（ＡＳ：ａｃｃｅｓｓ  ｓｔｒａｔｕｍ）サブレイヤ（ＳＤＡＰ（サービスデータ適応プロトコル：Ｓｅｒｖｉｃｅ  Ｄａｔａ  Ａｄａｐｔａｔｉｏｎ  Ｐｒｏｔｏｃｏｌ））が、ＰＤＣＰの上に導入されている。非特許文献６の第４．４．２節において定義されている、ＮＲに関する制御プレーンのプロトコルスタックが、図４に示されている。レイヤ２の機能の概要が、非特許文献６の第６項に記載されている。ＰＤＣＰサブレイヤ、ＲＬＣサブレイヤ、およびＭＡＣサブレイヤの機能が、非特許文献６の第６．４項、第６．３項、および第６．２項に示されている。ＲＲＣレイヤの機能が、非特許文献６の第７項に示されている。前述した非特許文献６の各項は、参照によって本明細書に組み込まれている。
【００２０】
５Ｇシステムに関して例示的に現在仮定されている新しいＮＲレイヤは、ＬＴＥ（−Ａ）通信システムにおいて現在使用されているユーザプレーンのレイヤ構造に基づいてよい。しかし、ＮＲレイヤのすべての詳細に関して、現在は最終的な合意に達していないことに注意するべきである。
【００２１】
＜ＲＲＣ状態＞
ＬＴＥでは、ＲＲＣ状態マシンは、大幅な省電力、ＵＥの自律的モビリティ、およびコアネットワークとのＵＥの接続が確立されないことによって主に特徴付けられる、ＲＲＣアイドル状態と、無損失のサービスの継続性をサポートするためにモビリティがネットワーク制御されながら、ＵＥがユーザプレーンのデータを送信できる、ＲＲＣ接続状態との、２つの状態のみで構成される。
【００２２】
参照によって本明細書に組み込まれている非特許文献２の第５．５．２節において現在定義されているＮＲ  ５ＧのＲＲＣは、ＲＲＣアイドル、ＲＲＣ非アクティブ、およびＲＲＣ接続という３つの状態をサポートし、非特許文献２において定義されている以下の状態遷移を許可する。
【００２３】
明らかなように、新しいＲＲＣ状態である非アクティブは、シグナリング、省電力、レイテンシなどに関して非常に異なる要件を有するｅＭＢＢ（大容量・高速通信）、ｍＭＴＣ（多数同時接続マシンタイプ通信）、およびＵＲＬＬＣ（高信頼・超低遅延通信）などのサービスのより広い範囲をサポートする場合の利益をもたらすために、５Ｇ  ３ＧＰＰの新しい無線技術に関して定義されている。
【００２４】
＜ＲＡＣＨ手順＞
５Ｇ  ＮＲのＲＡＣＨ（ランダムアクセスチャネル：Ｒａｎｄｏｍ  Ａｃｃｅｓｓ  Ｃｈａｎｎｅｌ）手順に関しては、最終的な合意に達していない。参照によって本明細書に組み込まれている非特許文献２の第９．２節において説明されているように、ＮＲ  ＲＡＣＨ手順は、ＬＴＥに関して定義されている方法と同じまたは類似する方法で、コンテンションベースのランダムアクセスとコンテンションフリーのランダムアクセスの両方をサポートしてよい。また、ＮＲ  ＲＡＣＨ手順の設計は、ＬＴＥと同様に、柔軟なメッセージ３のサイズをサポートしなければならない。
【００２５】
以下では、図５および６を参照して、ＬＴＥ  ＲＡＣＨ手順についてさらに詳細に説明する。ＬＴＥにおいて移動端末は、そのアップリンク送信が時間同期される場合にのみ、アップリンク送信に関してスケジューリングされ得る。したがって、ランダムアクセスチャネル（ＲＡＣＨ：Ｒａｎｄｏｍ  Ａｃｃｅｓｓ  Ｃｈａｎｎｅｌ）手順は、非同期型の移動端末（ＵＥ）とアップリンク無線アクセスの直交送信の間のインタフェースとして、重要な役割を果たす。基本的に、ＬＴＥにおけるランダムアクセスは、アップリンク同期をまだ獲得していないか、または失っているユーザ機器に対して、アップリンク時間同期を達成するために使用される。ユーザ機器がアップリンク同期を達成した後に、ｅＮｏｄｅＢが、そのユーザ機器のアップリンク送信リソースをスケジューリングすることができる。ランダムアクセスに関連する１つのシナリオは、現在のサービングセルから新しいターゲットセルにハンドオーバしている、ＲＲＣ＿ＣＯＮＮＥＣＴＥＤ状態にあるユーザ機器が、ターゲットセルにおいてアップリンク時間同期を達成するために、ランダムアクセス手順を実行する場合である。
【００２６】
ＬＴＥは、２つのタイプのランダムアクセス手順を提供し、コンテンションベース（すなわち、衝突の固有のリスクを意味する）またはコンテンションフリー（非コンテンションベース）のいずれかのアクセスを可能にする。ランダムアクセス手順の詳細な説明は、参照によって本明細書に組み込まれている非特許文献７にも記載されている。
【００２７】
以下では、図５に関して、ＬＴＥのコンテンションベースのランダムアクセス手順についてさらに詳細に説明する。この手順は、４つの「ステップ」で構成される。最初に、ユーザ機器は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）上で、ランダムアクセスプリアンブルをｅＮｏｄｅＢに送信する（すなわち、ＲＡＣＨ手順のメッセージ１）。ｅＮｏｄｅＢは、ＲＡＣＨプリアンブルを検出した後に、プリアンブルが検出された時間・周波数スロットを識別する（ランダムアクセス）ＲＡ−ＲＮＴＩを含むランダムアクセス応答（ＲＡＲ：Ｒａｎｄｏｍ  Ａｃｃｅｓｓ  Ｒｅｓｐｏｎｓｅ）メッセージ（ＲＡＣＨ手順のメッセージ２）を、ＰＤＣＣＨ上でアドレス指定されたＰＤＳＣＨ（物理ダウンリンク共有チャネル：Ｐｈｙｓｉｃａｌ  Ｄｏｗｎｌｉｎｋ  Ｓｈａｒｅｄ  Ｃｈａｎｎｅｌ）上で送信する。複数のユーザ機器が同じＰＲＡＣＨリソース内で同じＲＡＣＨプリアンブルを送信した場合（これは、衝突とも呼ばれる）、それらのユーザ機器は、同じランダムアクセス応答メッセージを受信する。ＲＡＲメッセージは、検出されたＲＡＣＨプリアンブル、その後のアップリンク送信の同期のためのタイミング調整コマンド（ＴＡ（ｔｉｍｉｎｇ  ａｌｉｇｎｍｅｎｔ）コマンド）、最初のスケジューリングされた送信のための初期アップリンクリソース割り当て（グラント）、および一時セル無線ネットワーク一時識別子（Ｔ−ＣＲＮＴＩ：Ｔｅｍｐｏｒａｒｙ  Ｃｅｌｌ  Ｒａｄｉｏ  Ｎｅｔｗｏｒｋ  Ｔｅｍｐｏｒａｒｙ  Ｉｄｅｎｔｉｆｉｅｒ）の割り当てを伝達してよい。この時点では移動端末の「実際の」識別子がまだｅＮｏｄｅＢに知られていないため、ＲＡＣＨ手順が終了するまで、このＴ−ＣＲＮＴＩが、ＲＡＣＨプリアンブルが検出された移動端末をアドレス指定するためにｅＮｏｄｅＢによって使用される。
【００２８】
ユーザ機器は、ｅＮｏｄｅＢによって構成される特定の時間ウィンドウ内で、ランダムアクセス応答メッセージの受信に関して、ＰＤＣＣＨを監視する。ｅＮｏｄｅＢから受信されたＲＡＲメッセージに応答して、ユーザ機器は、第１のスケジューリングされたアップリンク送信を、ランダムアクセス応答内のグラントによって割り当てられた無線リソース上で送信する。このスケジューリングされたアップリンク送信は、例えばＲＲＣ接続要求またはバッファ状態報告などの、実際のランダムアクセス手順のメッセージを伝達する。
【００２９】
ＲＡＣＨ手順の最初において発生したプリアンブルの衝突の場合（すなわち、複数のユーザ機器が同じＰＲＡＣＨリソース上で同じプリアンブルを送信した場合）、衝突しているユーザ機器は、ランダムアクセス応答内で同じＴ−ＣＲＮＴＩを受信し、ＲＡＣＨ手順の第３のステップにおいて、スケジューリングされた送信を送信するときにも、同じアップリンクリソース内で衝突する。あるユーザ機器からのスケジューリングされた送信がｅＮｏｄｅＢによって正常にデコードされた場合、他のユーザ機器のコンテンションは未解決のままになる。このタイプのコンテンションの解決のために、ｅＮｏｄｅ  Ｂは、Ｃ−ＲＮＴＩまたは一時Ｃ−ＲＮＴＩ宛てのコンテンション解決メッセージ（第４のメッセージ）を送信する。
【００３０】
図６は、コンテンションベースのランダムアクセス手順と比較して簡略化された、３ＧＰＰ  ＬＴＥのコンテンションフリーのランダムアクセス手順を示している。ｅＮｏｄｅＢは、衝突の（すなわち、複数のユーザ機器が同じＲＡＣＨプリアンブルを送信する）リスクがないように、最初のステップで、ランダムアクセスに使用するためのプリアンブルをユーザ機器に提供する。それに応じてユーザ機器は、それ以降、ＰＲＡＣＨリソース上のアップリンクにおいて、ｅＮｏｄｅＢによってシグナリングされたプリアンブルを送信する。コンテンションフリーのランダムアクセスの場合、複数のＵＥが同じプリアンブルを送信するケースが回避されるため、基本的に、ＵＥによってランダムアクセス応答を正常に受信した後に、コンテンションフリーのランダムアクセス手順が終了する。
【００３１】
このようにして、図５および６に関連して説明されたＲＡＣＨ手順と類似するか、または同じＲＡＣＨ手順を、将来、５Ｇの新しい無線技術において採用することができる。しかし、３ＧＰＰは、５Ｇ  ＮＲの２ステップのＲＡＣＨ手順も検討しており、その手順では、４ステップのＲＡＣＨ手順におけるメッセージ４に対応するメッセージ１が、最初に送信される。次に、ｇＮＢが、ＬＴＥ  ＲＡＣＨ手順のメッセージ２および４に対応するメッセージ２で応答する。メッセージ交換が減少するため、４ステップの手順と比較して、２ステップの手順のレイテンシを減らすことができる。メッセージの無線リソースは、ネットワークによって任意選択的に構成される。
【００３２】
＜ＬＴＥのハンドオーバ手順＞
モビリティは、ＬＴＥ通信システムにおける重要な手順である。ＬＴＥには、アクティブモードにあるＵＥに関して、Ｓ１ハンドオーバ手順およびＸ２ハンドオーバ手順という２つのタイプのハンドオーバ手順が存在する。ＬＴＥ内モビリティの場合、通常は、Ｘ２インタフェースを介したハンドオーバがｅＮｏｄｅＢ間モビリティに使用される。したがって、Ｘ２インタフェースが確立されていないのでない限り、またはソースｅＮｏｄｅＢが代わりに別のハンドオーバ（例えば、Ｓ１ハンドオーバ）を使用するように構成されていない限り、初期設定では、Ｘ２ハンドオーバがトリガーされる。
【００３３】
図７は、Ｘ２  ＬＴＥ内ハンドオーバの例示的な簡略化された概要を示している。
【００３４】
Ｘ２ハンドオーバは、準備段階（ステップ４〜６）、実行段階（ステップ７〜９）、および完了段階（ステップ９の後）を含む。Ｘ２  ＬＴＥ内ハンドオーバは、２つのｅＮｏｄｅＢ間で直接実行される。新しいｅＮＢへの経路の切り替えをトリガーするために、ハンドオーバ手順が成功した後のハンドオーバ手順の終了時にのみ、コアネットワークの他のエンティティ（例えば、ＭＭＥ（モビリティ管理エンティティ：Ｍｏｂｉｌｉｔｙ  Ｍａｎａｇｅｍｅｎｔ  Ｅｎｔｉｔｙ））に通知される。
【００３５】
ＬＴＥにおけるモビリティ手順に関する詳細な情報は、例えば、参照によって本明細書に組み込まれている非特許文献８から、および参照によって本明細書に組み込まれている非特許文献９から入手できる。
【００３６】
＜ＬＴＥ−限定加入者グループ（ＣＳＧ：Ｃｌｏｓｅｄ  Ｓｕｂｓｃｒｉｂｅｒ  Ｇｒｏｕｐ）＞
限定加入者グループは、ＰＬＭＮの１つまたは複数のＣＳＧセルにアクセスすることを許可された加入者のグループを識別する。「ＴＲＵＥ」に設定されたＣＳＧ指示を有するセルは、「ＣＳＧセル」と呼ばれる。非ＣＳＧセル（すなわち、通常のセル）は、ＵＥが適切なＰＬＭＮ情報を有しており、セルが禁止されていない限り、そのＵＥがキャンプオンすることを許可するが、ＣＳＧセルは、特定のＣＳＧに属しているＵＥのみがキャンプオンすることを許可する。限定加入者グループは、アクセスが制限されているＰＬＭＮの１つまたは複数のセル（ＣＳＧセル）にアクセスすることを許可されたオペレーターの加入者を識別する。
【００３７】
ＣＳＧ呼び出しを行うには、ＵＥが、属しているＣＳＧ  ＩＤおよびアクセスタイプをアタッチ要求で送信しなければならない。次に、ＭＭＥは、ＨＳＳを使用してＵＥ認証を実行してから、位置更新要求および位置更新応答を交換する。位置更新応答では、ＨＳＳが加入データでＣＳＧ情報（ＣＳＧ  ＩＤ、加入タイマー）を送信する。次に、ＭＭＥは、アタッチ要求において受信されたＣＳＧに対して、ＣＳＧ  ＩＤを検証する。ＣＳＧ  ＩＤが一致した場合、ＵＥはＣＳＧ呼び出しを開始し、ＣＳＧ情報を含むセッション作成要求をＳＧＷに送信する。ＳＧＷからの正常な応答の受信時に、ＭＭＥは、「メンバー」としてのメンバー状態を含むアタッチ承認メッセージを送信する。ＵＥが加入してＣＳＧセルにアタッチしている、加入タイマーの期間の終了後に、ＭＭＥがＰＤＮ接続削除を開始する。
【００３８】
限定加入者グループに関するさらに詳細な情報は、参照によって本明細書に組み込まれている非特許文献１０全体に記載されている。
【００３９】
＜追跡エリア＞
Ｅ−ＵＴＲＡＮおよびＵＥの処理におけるオーバーヘッドを減らすために、アクセスネットワーク内のすべてのＵＥに関連する情報を、長期間のデータ無活動の間に、リリースすることができる。次にＵＥは、ＥＣＭアイドル状態（ＥＰＳ接続管理−アイドル）になる。ＭＭＥは、それらのアイドル期間中に、確立されたベアラに関するＵＥのコンテキストおよび情報を保持する。ネットワークがＥＣＭアイドル状態のＵＥと連絡を取ることができるようにするために、ＵＥは、現在の追跡エリア（ＴＡ：Ｔｒａｃｋｉｎｇ  Ａｒｅａ）から移動するときに、常にその新しい位置に関してネットワークを更新する。この手順は、「追跡エリア更新」と呼ばれる。より具体的には、ＬＴＥは、コアネットワークが、ＵＥの実際の追跡エリアと見なされるＴＡＩ（追跡エリア識別子：Ｔｒａｃｋｉｎｇ  Ａｒｅａ  Ｉｄｅｎｔｉｔｉｅｓ）のリストを提供できるようにすることによって、ＵＥの個別の追跡エリアのサイズを提供するメカニズムを導入した。ＵＥがＴＡのリストの結合されたエリアから離れるときに（例えば、ＵＥは、ＴＡのリストに含まれていない追跡エリアＩＤを基地局から受信することがある）、ＵＥはＮＡＳ追跡エリア更新（ＴＡＵ：ｔｒａｃｋｉｎｇ  ａｒｅａ  ｕｐｄａｔｅ）手順をトリガーする。５Ｇ  ＮＲにおいてＲＲＣアイドル状態にあるＵＥのモビリティをサポートするための同じアプローチまたは類似するアプローチが、想定され得る。おそらくコアネットワークエリアと同程度の大きさであるか、またはそれより小さいＲＡＮベースの通知エリアとは異なるように、コアネットワークエリアが定義されてよい。
【００４０】
ＭＭＥは、ＵＥがＥＣＭアイドル状態にある間、ユーザの位置を追跡する役割を担う。ダウンリンクデータをＥＣＭアイドル状態のＵＥに配信する必要がある場合、ＭＭＥが、ページングメッセージ（コアネットワークによって開始されたページング）をＵＥの現在のＴＡ内のすべてのｅＮｏｄｅＢに送信し、次に、ｅＮｏｄｅＢが、ＵＥに達するために、無線インタフェースを経由してページングメッセージを送信する。
【００４１】
追跡エリアに関するさらに詳細な情報は、参照によって本明細書に組み込まれている非特許文献１１の、例えば５．５．３、８．２．２６〜８．２．２９、９．９．３２、および９．９．３３の節に記載されている。
【００４２】
＜ＲＲＣ状態およびＲＡＮベースの通知エリア＞
ＬＴＥでは、ＲＲＣ状態マシンは、大幅な省電力、ＵＥの自律的モビリティ、およびコアネットワークとのＵＥの接続が確立されないことによって主に特徴付けられる、ＲＲＣアイドル状態と、無損失のサービスの継続性をサポートするためにモビリティがネットワーク制御されながら、ＵＥがユーザプレーンのデータを送信できる、ＲＲＣ接続状態との、２つの状態のみで構成される。
【００４３】
参照によって本明細書に組み込まれている非特許文献２の第５．５．２節において現在定義されているＮＲ  ５ＧのＲＲＣは、ＲＲＣアイドル、ＲＲＣ非アクティブ、およびＲＲＣ接続という３つの状態をサポートする。明らかなように、新しいＲＲＣ状態である非アクティブは、シグナリング、省電力、レイテンシなどに関して非常に異なる要件を有するｅＭＢＢ（大容量・高速通信）、ｍＭＴＣ（多数同時接続マシンタイプ通信）、およびＵＲＬＬＣ（高信頼・超低遅延通信）などのサービスのより広い範囲をサポートする場合の利益をもたらすために、５Ｇ  ３ＧＰＰの新しい無線技術に関して定義されている。したがって、新しいＲＲＣ非アクティブ状態は、例えばデータ転送を低遅延で開始できるようにしたままで、無線アクセスネットワークおよびコアネットワーク内のシグナリング、電力消費、およびリソースのコストを最小限に抑えることができるように、設計されなければならない。さまざまな状態が、参照によって本明細書に組み込まれている非特許文献２の第５．５．２項によって特徴付けられている。
【００４４】
新しいＲＲＣ非アクティブ状態の１つの特徴によれば、ＲＲＣ非アクティブ状態にあるＵＥの場合、ＲＡＮおよびコアネットワークとの（ユーザプレーンと制御プレーンの両方の）接続が維持される。加えて、そのセル内のユーザ機器のページングメカニズム（通知メカニズムと呼ばれることもある）は、いわゆる無線アクセスネットワーク（ＲＡＮ）ベースの通知エリア（略してＲＮＡ（ＲＡＮ−ｂａｓｅｄ  ｎｏｔｉｆｉｃａｔｉｏｎ  ａｒｅａｓ））に基づく。無線アクセスネットワークは、ユーザ機器が存在している現在のＲＡＮを認識しなければならず、ユーザ機器は、ｇＮＢがさまざまなＲＮＡ間で移動するＵＥを追跡するのを支援してよい。
【００４５】
ＲＮＡは、１つまたは複数のセルをカバーすることができる。ＲＮＡは、ＲＲＣアイドル状態にあるＵＥを追跡するために使用されるコアネットワークエリアより小さくてよい。ＲＲＣ非アクティブ状態にあるＵＥが現在のＲＮＡの境界内に留まっている間、このＵＥは、その位置をＲＡＮ（例えば、ｇＮＢ）で更新する必要がなくてよい。しかし、それに応じてＵＥは、現在のＲＮＡから離れる（例えば、別のＲＮＡに移動する）ときに、その位置をＲＡＮで更新してよい。ＲＮＡが構成されて定義される方法に関しては、最終的な合意がまだ存在していない。参照によって本明細書に組み込まれている非特許文献２の第５．５．２．１項は、現在議論されている複数の可能性のある選択肢について言及している。
【００４６】
図８は、複数のｇＮＢでそれぞれ構成されている複数のＲＮＡが存在する例示的なシナリオを示している。ＵＥが、ＲＮＡ１に属しているｇＮＢ１に接続されており、ＲＮＡ２のｇＮＢ２に移動すると仮定されている。１つの選択肢によれば、ＲＮＡベースの通知エリアを構成するセルのリストが定義される。ＵＥが、現在のどのＲＮＡ内でＵＥが現在のセルに基づいているかを決定できるように、セルの明示的リストが（例えば、専用のシグナリング（すなわち、ＵＥに直接宛てられたシグナリング、例えば、ＲＲＣ接続再構成メッセージ）を介して）ＵＥに提供される。別の選択肢によれば、ＲＡＮエリアは、ＲＮＡ  ＩＤによってそれぞれ識別されている。セルがどのＲＡＮエリアに属しているかをＵＥが知るように、各セル（具体的には、ｇＮＢ）が、（少なくとも１つの）ＲＮＡ  ＩＤを（例えば、システム情報内で）ブロードキャストする（代替的または追加的に、この情報は、専用のシグナリングを使用してＵＥに送信され得る）。今のところ、１つまたは両方の選択肢をサポートするべきかどうかに関する決定は行われておらず、将来、異なる解決策が合意される可能性もある。ビットサイズなどの、ＲＮＡ  ＩＤに関する詳細も提供されていない。
【００４７】
＜ＬＴＥのシステム情報の取得＞
ＬＴＥでは、システム情報は、システム情報ブロック（ＳＩＢ：ｓｙｓｔｅｍ  ｉｎｆｏｒｍａｔｉｏｎ  ｂｌｏｃｋｓ）を用いて構造化され、システム情報ブロックの各々は、機能的に関連するパラメータのセットを含む。ＭＩＢ（マスタ情報ブロック：ｍａｓｔｅｒ  ｉｎｆｏｒｍａｔｉｏｎ  ｂｌｏｃｋ）は、ネットワークへのＵＥの初期アクセスに不可欠である、最も頻繁に送信される限られた数のパラメータを含む。ＬＴＥでは、さらにパラメータを伝達するために、ＳＩＢ１〜ＳＩＢ１８というさまざまなタイプのシステム情報ブロックが現在定義されている。例えば、ＳＩＢ１は、セルがセル選択に適しているかどうかを判定するために必要なパラメータ、および他のＳＩＢの時間領域のスケジューリングに関する情報を含み、ＳＩＢ２は、共通の共有されたチャネル情報を含む。
【００４８】
３つのタイプのＲＲＣ（無線リソース制御：Ｒａｄｉｏ  Ｒｅｓｏｕｒｃｅ  Ｃｏｎｔｒｏｌ）メッセージを使用して、システム情報、ＭＩＢ、ＳＩＢ１メッセージ、およびＳＩメッセージを転送することができる。ＳＩＢ１以外のＳＩＢは、システム情報メッセージ（ＳＩメッセージ）内で送信され、システム情報メッセージは複数存在し、同じスケジューリング要件（例えば、同じ送信周期）を有する１つまたは複数のＳＩＢを含む。ＵＥは、ＳＩメッセージの内容に応じて、アイドル状態または接続状態で、異なるＳＩメッセージ（例えば、アイドル状態のみで取得する必要のあるＳＩＢ５（周波数間セル再選択情報）を含む第３のＳＩメッセージ）を取得する必要がある。
【００４９】
ＭＩＢメッセージおよびＳＩＢ１メッセージの時間領域のスケジューリングは、４０ｍｓおよび８０ｍｓの周期で、それぞれ固定されている。ＳＩメッセージの時間領域のスケジューリングは、動的に柔軟であり、各ＳＩメッセージが、定義された周期的に発生する時間領域ウィンドウ内で送信され、その間、物理レイヤの制御シグナリングが、このウィンドウ内のどのサブフレーム内でＳＩが実際にスケジューリングされているかを示す。（短いＳＩウィンドウ内の）異なるＳＩメッセージのスケジューリングウィンドウは、連続しており、構成可能な共通の長さを有している。ＳＩウィンドウの一部のクラスタ内で（多くの、または）すべてのＳＩメッセージがスケジューリングされ、他のクラスタ内で、より短い反復周期を有するＳＩメッセージのみが送信されるように、ＳＩメッセージは、異なる周期を有してよい。
【００５０】
システム情報は、通常、特定の無線フレームおよび特定の変更周期で変化する。ＬＴＥは、システム情報が変更されたことを示すために、２つのメカニズムを提供する。１．システム情報が変化したかどうかを示すフラグを含むページングメッセージ、２．ＳＩメッセージのうちの１つまたは複数が変化するたびにインクリメントされる、ＳＩＢ１内の値タグ。
【００５１】
ＵＥがＳＩの変化の通知を受信した場合、ＵＥは、次の変更周期の開始から、システム情報の取得を開始する。ＵＥが更新されたシステム情報を正常に取得するまで、ＵＥは、既存のパラメータを使用し続ける。重要なパラメータが変化した場合、通信が重大な影響を受けることがあるが、生じる可能性のあるサービスの中断は、短く、まれであるため、許容できると考えられる。
【００５２】
システム情報に関する詳細は、参照によってその全体が本明細書に組み込まれている非特許文献１２に記載されている。
【００５３】
＜ＮＲのシステム情報の取得＞
５Ｇ  ＮＲでは、システム情報が、最小限のシステム情報およびその他のシステム情報に概して分割されることが現在想定されている（ただし、最終的に合意されていない）。最小限のシステム情報は、周期的にブロードキャストされ、セルの初期アクセスに必要な基本情報（システムフレーム番号（ＳＦＮ：Ｓｙｓｔｅｍ  Ｆｒａｍｅ  Ｎｕｍｂｅｒ）、ＰＬＭＮのリスト、セルＩＤ、セルキャンピングパラメータ、ＲＡＣＨパラメータなど）を含む。最小限のシステム情報は、周期的にブロードキャストされるか、または要求ごとに提供される、任意のその他のＳＩを取得するための情報（例えば、これに関する適切なスケジューリング情報）をさらに含んでよい。スケジューリング情報は、例えば必要に応じて、ＳＩＢタイプ、有効性情報、ＳＩの周期、およびＳＩウィンドウ情報を含んでよい。それに応じて、その他のシステム情報は、最小限のシステム情報内でブロードキャストされないすべての情報（例えば、セル再選択隣接セル情報）を包含しなければならない。
【００５４】
その他のＳＩは、図９に示されているように、ネットワークによってトリガーされるか、またはＵＥからの要求時にトリガーされる専用の方法で、ブロードキャストされるか、または提供されてよい。その他のＳＩは、構成可能な周期で、特定の期間の間、ブロードキャストされ得る。その他のＳＩが、ブロードキャストされるのか、または専用のＵＥ固有のＲＲＣシグナリングを介して配信されるのかは、ネットワークによって決定される。
【００５５】
ＵＥによって実際に必要とされるその他のＳＩの場合、ＵＥがその他のＳＩ要求を送信する前に、ＵＥは、そのＳＩがセル内で利用可能であるかどうか、およびそのＳＩがブロードキャストされるのかどうかを示す必要がある。ＲＲＣ＿ＣＯＮＮＥＣＴＥＤ状態にあるＵＥの場合、専用のＲＲＣシグナリングが、例えば、その他のＳＩの要求および配信に使用され得る。
【００５６】
上で簡単に説明したレガシーＬＴＥでは、ＵＥは、セルの変更が発生したときに、常にシステム情報を（再）取得する必要があり、ＵＥは、システム情報が変更されたときにも（例えば、ページングによって、またはインクリメントされた（すなわち、変更された）値タグによって示される）、すべてのシステム情報を再取得する必要がある。５Ｇ  ＮＲでの新しいシステムの場合、最小限のシステム情報と一緒にブロードキャストされる特定のインデックス／識別子を使用して、格納されたシステム情報を識別することによって、システム情報を再取得する必要性を減らすことが通常は望ましい。あるセル内で有効なシステム情報は、他のセル内でも有効である可能性があることが仮定される。例えば、共通の無線リソース構成、アクセスクラス除外情報、ＵＬキャリア周波数および帯域幅、ならびにＭＢＳＦＮ（マルチメディアブロードキャスト単一周波数ネットワーク：Ｍｕｌｔｉｍｅｄｉａ  Ｂｒｏａｄｃａｓｔ  Ｓｉｎｇｌｅ−Ｆｒｅｑｕｅｎｃｙ  Ｎｅｔｗｏｒｋ）サブフレーム構成が、複数の隣接するセル間で有効であることがある。
【００５７】
より具体的には、特定のインデックス／識別子（例示的に、システム情報インデックスと呼ぶことができる）を使用して、他のセル内の関連するシステム情報の有効性を示すことができる。このインデックス／識別子は、２つ以上のセル内で適用可能であることができる。
【００５８】
その結果、ＵＥが有効なシステム情報をすでに格納している場合、そのすでに取得されている有効なシステム情報を再取得する必要はない。これによって、ＵＥの電力消費を減らすことができ、エアインタフェース上のシグナリングのオーバーヘッドを少なくすることができる。
【００５９】
システム情報インデックスは、単一のインデックスであることができ、または（ＬＴＥと同じであるか、または類似する）エリア識別子および値タグなどの２つ以上の項目に分割されてよい。値タグは、例えば、１つのセル内で有効であることができ、一方、完全なシステム情報インデックスは、システム情報の再取得を避けることができるように、前述したように、２つ以上のセル内で有効であると見なすことができる。
【００６０】
システム情報インデックスが何であるか、またはシステム情報インデックスのシグナリング方法に関して、最終的な合意はない。５Ｇ  ＮＲに関して定義されるどのシグナリング手順も、システム情報の定義に関する構成の柔軟性を少なくとも提供しなければならないが、同時に、システム情報の送信のオーバーヘッドを最小限に維持しなければならない。
【００６１】
新しい５Ｇ  ＮＲシステムにおいて発生する可能性のある別の問題は、一部のシステム情報がｇＮＢによって自動的にブロードキャストされず、ＵＥが対応する他のＳＩ要求を送信した後に、要求したときにのみ利用可能になるため（上記を参照）、ハンドオーバの場合に、ＵＥがすべての必要なＳＩメッセージをターゲットｅＮＢから取得するのに、（例えば、ＬＴＥと比較して）より長い時間を要する可能性があることである。
【００６２】
したがって、本開示は、不利益のうちの１つまたは複数を克服し、かつ／または前述した要件のうちの１つまたは複数を満たすことを容易にする解決策を提示しなければならない。
【００６３】
＜本開示の詳細な説明＞
以下では、５Ｇ移動通信システムで想定される新しい無線アクセス技術に関して、ＵＥ、基地局、および手順が説明される。異なる実装および変形も説明される。以下の詳細な開示は、前の「本開示の基礎」の節において説明された検討および発見によって容易にされており、それらに少なくとも部分的に基づくことができる。
【００６４】
しかし、一般に、５Ｇ携帯電話通信システムに関しては、わずかなことしか実際に合意されていないため、以下では、本開示の基礎になる原理を明確かつ理解可能な方法で説明できるようにするために、多くの仮定を行う必要があることに、注意するべきである。しかし、それらの仮定は、本開示の範囲を制限しない単なる例であると理解されるべきである。当業者は、以下の開示の原理および特許請求の範囲において提示された原理を、本明細書において明示的に説明されていない方法で、さまざまなシナリオに適用できることを認識するであろう。
【００６５】
さらに、以下で使用される手順、エンティティ、レイヤなどの用語は、ＬＴＥ／ＬＴＥ−Ａシステムに密接に関連しており、または、次の３ＧＰＰ  ５Ｇ通信システムの新しい無線アクセス技術との関連において使用される具体的な用語はまだ完全には決定されていないが、３ＧＰＰ  ５Ｇの現在の検討事項において使用される用語に密接に関連している。したがって、これらの用語は、本発明の実施形態の機能に影響を与えることなく、標準化の段階で変更される可能性がある。したがって、当業者は、本発明およびその保護の範囲が、より新しい用語または最終的に合意された用語がなくても、本明細書において例示的に使用される特定の用語に制限されるべきでなく、本開示の機能および原理の基礎になる機能および概念に関して、より広く理解されるべきであることを認識する。
【００６６】
例えば、移動局または移動ノードまたはユーザ端末またはユーザ機器（ＵＥ）は、通信ネットワーク内の物理的エンティティである。１つのノードは、複数の機能エンティティを含むことがある。機能エンティティとは、既定の一連の機能を実装し、かつ／または既定の一連の機能をネットワークのノードの他の機能エンティティに提供する、ソフトウェアモジュールまたはハードウェアモジュールのことを指す。ノードは、ノードを通信設備または媒体にアタッチする１つまたは複数のインタフェースを含んでよく、ノードは、それらの通信設備または媒体を経由して通信することができる。同様に、ネットワークエンティティは、機能エンティティを通信設備または媒体にアタッチする論理インタフェースを含んでよく、ネットワークエンティティは、それらの通信設備または媒体を経由して他の機能エンティティまたは対応するノードと通信することができる。
【００６７】
「基地局」または「無線基地局」という用語は、本明細書では、通信ネットワーク内の物理的エンティティのことを指す。物理的エンティティは、スケジューリングおよび構成のうちの１つまたは複数を含む、通信デバイスに関する何らかの制御タスクを実行する。基地局の機能および通信デバイスの機能が単一のデバイス内に統合されてもよいことに、注意する。例えば、移動端末は、他の端末用の基地局の機能を実装してもよい。ＬＴＥで使用される用語はｅＮＢ（またはｅＮｏｄｅＢ）であるが、５Ｇ  ＮＲで現在使用されている用語はｇＮＢである。
【００６８】
「最小限のシステム情報メッセージ」という用語は、無線セルにアクセスするＵＥのために無線セル内でブロードキャストされる最小限のシステム情報を運ぶ特定のタイプのメッセージのことを指す。「最小限のシステム情報メッセージ」は、無線セル内で周期的に送信され、その内容は変わる可能性がある。そのため、使用される他の用語は「最小限のＳＩ」である。「最小限のシステム情報」は、機能的に、レガシーＬＴＥシステムにおいて使用されるＭＩＢおよび／またはＳＩＢ１に類似している。
【００６９】
さらに、無線セルのシステム情報は、「追加のシステム情報メッセージ」を使用して送信することができ、「追加のシステム情報メッセージ」は、最小限のシステム情報メッセージ内でブロードキャストされない、無線セルに関するシステム情報を運ぶ特定のタイプのメッセージのことを指す用語である。そのため、使用される他の用語は「その他のＳＩ」である。「追加のシステム情報メッセージ」は、機能的に、レガシーＬＴＥシステムにおいて使用されるＳＩＢに類似している。
【００７０】
「システム情報インデックス」という用語は、システム情報インデックスと関連付けられた「追加のシステム情報メッセージ」との間に１対１の関係が存在するように、「追加のシステム情報メッセージ」に関連付けられた、情報要素のことを指す。しかし、すべての「追加のシステム情報メッセージ」を「システム情報インデックス」に関連付ける必要があるわけではないことに、注意するべきである。システム情報インデックスは、本出願において説明されているように、関連付けられた「追加のシステム情報メッセージ」の有効性を決定するためのシステム情報取得手順との関連において使用されるべきであり、特定の状況において、ＵＥがシステム情報の再取得を回避することができるようにしなければならない。
【００７１】
「エリアポインタ」という用語は、最小限のシステム情報メッセージ（具体的には、システム情報インデックス）の一部である情報要素のことを指す。エリアポインタは、エリアに関するいずれかの情報を単独で提供すると理解されてはならず、組み合わせてエリア（例えば、そのタイプおよび／またはＩＤ）を決定できるようにするために、追加情報へのポインタとして機能すると理解されなければならない。特定の実施例において、「エリアポインタ」は、エリアポインタが含まれるシステム情報インデックスが関連付けられた追加のシステム情報メッセージの空間的有効性をエンコードするために、機能的に使用されている。言い換えると、追加のＳＩメッセージ（追加のシステム情報メッセージ）内のシステム情報が、複数の無線セル内で同じように適用可能（すなわち、有効）であること、およびＵＥがエリアポインタに基づいて追加のＳＩメッセージの空間的有効性を決定できるようにするために、それらの複数のセル内の有効性を「エリアポインタ」にエンコードできることが仮定される。追加のＳＩメッセージの時間における有効性は、「値タグ」を使用して例示的にエンコードされる。
【００７２】
「値タグ」という用語は、最小限のシステム情報メッセージ（具体的には、システム情報インデックス）の一部である情報要素のことを指す。値タグは、値タグが含まれるシステム情報インデックスが関連付けられた追加のシステム情報メッセージの時間的有効性をエンコードするために、機能的に使用され得る。言い換えると、ＵＥが追加のＳＩメッセージの時間的有効性を決定できるようにするために、追加のＳＩメッセージの内容が変更されるたびに値タグが変更される（例えば、インクリメントされる）ことが仮定される。
【００７３】
図１０は、ユーザ機器（通信デバイスとも呼ばれる）およびスケジューリングデバイス（ここでは、基地局（例えば、ＬＴＥ  ｅＮＢまたは５Ｇ  ＮＲでのｇＮＢ）内にあると仮定される）の一般的な簡略化された例示的ブロック図を示している。ＵＥおよびｅＮＢ／ｇＮＢは、トランシーバをそれぞれ使用して、（無線）物理チャネルを経由して互いに通信している。
【００７４】
通信デバイスは、トランシーバおよび処理回路を備えてよい。次にトランシーバは、受信機および送信機を備えてよい。処理回路は、１つもしくは複数のプロセッサまたはいずれかのＬＳＩなどの、１つまたは複数のハードウェアであってよい。トランシーバと処理回路の間に、入出力ポイント（またはノード）が存在し、処理回路が、動作時に、この入出力ポイントを経由してトランシーバを制御することができ、すなわち、受信機および／または送信機を制御して、受信データ／送信データを交換することができる。トランシーバは、１つまたは複数のアンテナ、増幅器、ＲＦ変調器／復調器などを含むＲＦ（無線周波数）フロントを含んでよい。処理回路は、処理回路によって提供されたユーザデータおよび制御データを送信するため、ならびに／または処理回路によってさらに処理されるユーザデータおよび制御データを受信するためにトランシーバを制御することなどの、制御タスクを実装してよい。処理回路は、決定、判定、計算、測定などのプロセスを実行する役割を担ってもよい。送信機は、送信のプロセスを実行する役割を担ってよい。受信機は、受信のプロセスを実行する役割を担ってよい。
【００７５】
以下では、単純な例示的シナリオが仮定される。図１１に示されているように、ＵＥが、ｇＮＢ１によって制御される無線セル１のカバレッジエリア内に位置することが仮定される。ＵＥによって継続的に実行される１つの重要な手順は、システム情報取得手順である。システム情報取得手順は、例えば、無線セル内で電源を入れるとき、無線セル内で移動するとき、および／または新しい無線セルに移動するときに、必要なシステム情報を取得するために使用される。
【００７６】
５Ｇ  ＮＲのシステム情報取得手順に関して３ＧＰＰにおいて今議論されている予備的な合意および達せられた理解に基づいて、システム情報全体の提供が、各無線セル内のＵＥに使用可能にされる最小限のＳＩメッセージおよび１つまたは複数の追加のＳＩメッセージに分割される。まだ合意に達していないが、合計で５つの追加のＳＩメッセージ（例えば、ＳＩ１〜ＳＩ５と呼ばれる）が存在することが、例示的に仮定される。任意のその他の適切な数の追加のＳＩメッセージが、同様に可能である。
【００７７】
最小限のＳＩメッセージは、ｇＮＢ１によって周期的にブロードキャストされ、ＵＥによって最初に取得される。５つの追加のＳＩメッセージは、周期的にブロードキャストされるか、または要求時に（すなわち、追加のＳＩメッセージをｇＮＢ１に要求するときに）無線セル内のＵＥに使用可能である。どちらの場合にも、ＵＥは、追加のＳＩメッセージを取得することができ、実施形態を同じように適用することができる。最小限のＳＩメッセージは、無線セルにアクセスするＵＥのために無線セル内でブロードキャストされる最小限のシステム情報を含み、ＵＥが追加のＳＩメッセージの一部または全部を取得することによってシステム情報をさらに取得できるようにするために必要なスケジューリング情報をさらに含む。
【００７８】
異なる追加のＳＩメッセージは、異なるタイプのシステム情報を含み、その一部または全部は、ＵＥの動作に厳密には必要でないことがある。したがって、ＵＥは、追加のＳＩメッセージごとに、そのシステム情報が無線セル内のＵＥの動作に必要かどうかを判定してよい。例えば、地震・津波警告提供（ＥＴＷＳ：Ｅａｒｔｈｑｕａｋｅ  ａｎｄ  Ｔｓｕｎａｍｉ  Ｗａｒｎｉｎｇ  Ｓｅｒｖｉｎｇ）通知のための追加のＳＩメッセージは、ＵＥに必要であると見なされないことがある。実施形態例によれば、ＵＥは、以下で詳細に説明されるように、必要な追加のＳＩメッセージの取得を回避できるかどうかを引き続き判定する前に、最小限のＳＩメッセージ内で知らされた追加のＳＩメッセージのうちのどれがＵＥの動作に必要であるかを、例示的に最初に決定することができる。さまざまな実施形態およびそれらの変形の説明を簡単にするために、ＵＥが、すべての追加のＳＩメッセージ（ここでは、ＳＩ１〜ＳＩ５）がその動作にとって重要であると見なし、原則的に、それらのメッセージに含まれるすべての対応するシステム情報を取得すると決定することが、例示的に仮定される。システム情報がＵＥによって本当に取得されるかどうかは、以下で説明されるように、特定の状況において、同じシステム情報の取得を回避するための特定の事例に依存する。
【００７９】
前に説明したように、特定の状況においてシステム情報の再取得を回避するために、システム情報取得手順が改善されるべきであることが、３ＧＰＰにおいて合意されている。それに応じて、本明細書に記載された以下の実施形態は、追加のＳＩメッセージに関連してシステム情報インデックスを使用して、時間および空間（すなわち、エリア）にわたる関連付けられた追加のＳＩメッセージの有効性をエンコードし、このようにして、ＵＥが、以前に取得された追加のＳＩメッセージに対して、知らされた追加のＳＩメッセージの有効性を最初に決定し、次に、その追加のＳＩメッセージの取得が実際に必要であるかどうかを判定できるようにする。
【００８０】
追加のＳＩメッセージのうちの少なくとも１つをシステム情報インデックスに関連付けることができ、その場合、最小限のＳＩメッセージは、少なくとも、５つの追加のＳＩメッセージのうちの１つ（例えば、ＳＩ１）に関して、その追加のＳＩメッセージ（すなわち、ＳＩ１）に関連付けられたシステム情報インデックスを含む。以下の説明では、最も多くの利益を提供するために、１つの実施形態例において、システム情報インデックスを使用してシステム情報の有効性をエンコードするという概念が、５つの追加のＳＩメッセージすべてに適用される。したがって、最小限のＳＩメッセージは、無線セル１内のＵＥによって取得できる５つの既存の追加のＳＩメッセージごとに、システム情報インデックスを含む。
【００８１】
本明細書に記載された実施形態は、ＵＥとｇＮＢの間で実行されるシステム情報取得手順に関連する。それらの実施形態は、（追加のＳＩメッセージ内の）システム情報の（再）取得を回避できるようにするため、およびシステム情報の送信のオーバーヘッドを減らし、空間（異なるエリア／セル）にわたるシステム情報の有効性を定義することにおける柔軟性を維持するために、システム情報の有効性を（それぞれｇＮＢおよびＵＥによって）エンコードおよびデコードできる方法を改善することに重点を置いている。
【００８２】
一部の実施形態例によれば、システム情報インデックスの各々は、値タグおよびエリアポインタで構成されると仮定され、値タグおよびエリアポインタの両方が、互いに別々に処理されるように、ＵＥによって区別され得る。システム情報インデックス内のエリアポインタは、特定のエリアに関する情報を直接含む代わりに、すでに定義されているエリアを「指し示す」（エリアは、ネットワーク固有であってよいが、ユーザ機器がこのエリアを認識しなければならない）。ＵＥは、エリアポインタを解釈できなければならず、すなわち、システム情報インデックス内のエリアポインタが実際にどのエリアを指し示しているかを正しく決定できなければならない。これに関して、ＵＥおよびｇＮＢは、エリアをエリアポインタにそれぞれデコードまたはエンコードする方法に関する共通の理解を有していなければならない。例えば、ＵＥおよびｇＮＢ１は、エリアポインタの可能な値を、すでに定義されている対応するエリアに関連付けるリストを格納できる。
【００８３】
エリアポインタおよび格納されたエリアのリストに基づいて、ＵＥは、エリアポインタを含むシステム情報インデックスを受信するときに、知らされた追加のＳＩメッセージがどのエリアに関して有効と見なされるかを決定することができる。
【００８４】
後でより詳細な実施形態において説明されるように、値タグを使用して、知らされた追加のＳＩメッセージの時間的有効性を決定できる。
【００８５】
次に、ＵＥは、知らされた追加のＳＩメッセージのいずれかをｇＮＢ１から取得する必要があるかどうかを判定する必要がある。前に取得された追加のＳＩメッセージのいずれかの取得を回避できるようにするために、ＵＥは、同じ値タグを含み、同じエリアに関連付けられている同じ追加のＳＩメッセージを前にすでに受信していなければならない。その場合、このすでに取得された追加のＳＩメッセージに含まれるシステム情報は、（同じエリア内の）現在の無線セルにまだ適用可能であると見なすことができ、ＵＥが同じシステム情報を含む対応する追加のＳＩメッセージを再び取得する必要はない。
【００８６】
一方、最小限のＳＩメッセージのシステム情報インデックスで知らされた追加のＳＩメッセージの値タグおよび／または（エリアポインタによって示された）エリアが、対応するすでに取得された追加のＳＩメッセージに関連付けられた対応する値タグおよび／または対応するエリアと異なる場合、ＵＥは、そのすでに取得された追加のＳＩメッセージに含まれるシステム情報を無線セル内で適用できないと決定する。このようにして、ＵＥは、現在の無線セルに適用できる有効なシステム情報を取得するために、ＵＥが知らされた追加のＳＩメッセージをｇＮＢから取得する必要があると決定する。
【００８７】
したがって、エリアポインタは、エリアの識別情報を直接提供する代わりに、単にエリアを指し示すため、エリアポインタのサイズを、エリアを直接識別するシステム情報インデックスより小さくすることができる。このようにして、発生するオーバーヘッドが、エリアの識別情報を直接含むシステム情報インデックスと比較して、より少なくなる。
【００８８】
最小限のＳＩメッセージ内で、追加のＳＩメッセージごとに別々のエリアポインタ（互いに異なるように設定できる）を使用できるため、前述の改善されたＳＩ取得手順は、ｇＮＢ１がシステム情報の有効エリアを追加のＳＩメッセージごとに別々に柔軟に決定できるようにもする。
【００８９】
図１２は、ＵＥの動作のフロー図を、特に上で説明した基本システムの取得手順に関して、例示的に示している。
【００９０】
ここで、図１１〜１３に関連して説明される以下の例示的な２つのシナリオに基づいて、前述の改善されたＳＩ取得手順の機能が詳細に説明される。第１のシナリオでは、ＵＥが、ｇＮＢ１の無線セル１内で電源投入され、ｇＮＢ１の無線セル１にアクセスしようとしていることが例示的に仮定される（その後、ｇＮＢ１は、このＵＥのサービングｇＮＢになる）。ｇＮＢ１は、最小限のＳＩメッセージを周期的にブロードキャストしており、ＵＥが同じ最小限のＳＩメッセージを取得する。最小限のＳＩメッセージは、無線セル１への初期アクセスのためにＵＥに必要なシステム情報を含み、追加のＳＩメッセージＳＩ１〜ＳＩ５およびそれらの内容を取得する方法に関する情報を含む。したがって、特に、最小限のＳＩメッセージは、追加のＳＩメッセージごとに、対応するシステム情報インデックスを含み、さらに特定の値タグおよびエリアポインタを含む。これが、図１３に例示的に示されており、図１３は、５つの使用可能な追加のＳＩメッセージＳＩ１〜ＳＩ５の５つのシステム情報インデックス（ＳＩ＿ｉｎｄｅｘ＿１〜５）を示している。例えば、追加のＳＩメッセージＳＩ１に関連付けられたＳＩ＿ｉｎｄｅｘ＿１は、ａｒｅａ＿ｐｏｉｎｔｅｒ＿１およびｖａｌｕｅ＿ｔａｇ１を含み、追加のＳＩメッセージＳＩ２に関連付けられたＳＩ＿ｉｎｄｅｘ＿２は、ａｒｅａ＿ｐｏｉｎｔｅｒ＿２およびｖａｌｕｅ＿ｔａｇ２を含む、などである。
【００９１】
初めてＵＥが電源投入されることを考えると、追加のＳＩメッセージは前に全く取得されておらず、したがって、知らされた追加のＳＩメッセージに関して、システム情報を使用できない。したがってＵＥは、追加のＳＩメッセージごとに、それらに含まれる対応するシステム情報を取得するために、同じ追加のＳＩメッセージを取得する必要があると決定する。したがってＵＥは、例えば、周期的に発生する特定の無線リソースでｇＮＢ１によってブロードキャストされた追加のＳＩメッセージを受信することによって、および／または要求時にのみ無線セル１内で使用可能になる追加のＳＩメッセージを最初に要求し、次にそれらを受信することによって、最小限のＳＩメッセージに示されている追加のＳＩメッセージＳＩ１〜ＳＩ５の取得を開始することができる。追加のＳＩメッセージの受信時に、ＵＥは、追加のＳＩメッセージごとに、追加のＳＩメッセージに関連付けられたシステム情報インデックスから得られたエリアおよび値タグを格納してよい。例えば、追加のＳＩメッセージＳＩ１の場合、ＵＥは、ｖａｌｕｅ＿ｔａｇ＿１およびエリアポインタａｒｅａ＿ｐｏｉｎｔｅｒ＿１によって示されたエリアに関する情報（例えば、識別されたエリアのエリアＩＤおよび／またはタイプ）を格納する。他の追加のＳＩメッセージＳＩ２〜ＳＩ５の場合、ＵＥによって同じ情報または類似する情報を格納することができる。このようにして、ＵＥは、追加のＳＩメッセージごとに有効性情報を格納し、その後のシステム情報取得手順において、この有効性情報を使用できる。
【００９２】
ここで、無線セル１内でＵＥが移動し続け、最終的に、ｇＮＢ２によって制御される別の無線セル２に移動することが仮定される（図１１を参照）。ＵＥは、無線セル１内で最小限のＳＩメッセージをさらに受信し、無線セル２のカバレッジエリアに入るときにも受信する。例えば、最小限のＳＩメッセージが受信されるたびに、前述のＳＩ取得手順を、ＵＥによって繰り返し実行することができる。
【００９３】
例えば、ｇＮＢ２は、ＵＥが無線セル２への初期アクセスを行うために必要なシステム情報を含み、追加のＳＩメッセージＳＩ１〜ＳＩ５ごとのシステム情報インデックスをさらに含む、最小限のＳＩメッセージをブロードキャストする。システム情報インデックスの構造は、ｇＮＢ１によってブロードキャストされる最小限のＳＩメッセージに関して上で説明された構造と同じでなくてはならず、したがって、値タグおよびエリアポインタで構成される。次に、ＵＥは、知らされた追加のＳＩメッセージのいずれかをｇＮＢ２から取得する必要があるかどうかを判定する。前に説明したように、ＵＥは、すべての追加のＳＩメッセージをｇＮＢ１からすでに取得しているが、それらの追加のＳＩメッセージを新しい無線セル２にも適用できるかどうかを判定する必要がある。この判定は、システム情報インデックスならびに格納された値タグおよびエリア情報の内容に基づいて、ＵＥによって実行される。追加のＳＩメッセージ（例えば、ＳＩ１）ごとに、ＵＥは、すでに取得された追加のＳＩメッセージ（例えば、ＳＩ１）の格納された値タグ（例えば、ｖａｌｕｅ＿ｔａｇ＿１）を、新たに受信された最小限のＳＩメッセージ内の知らされた追加のＳＩメッセージ（ＳＩ１）のシステム情報インデックス（ＳＩ＿ｉｎｄｅｘ＿１）に含まれる値タグ（ｖａｌｕｅ＿ｔａｇ＿１）と比較することによって、無線セル２内で、すでに取得された追加のＳＩメッセージ（例えば、ＳＩ１）の有効性をチェックする。さらにＵＥは、すでに取得された追加のＳＩメッセージ（例えば、ＳＩ１）の格納されたエリアを、新たに受信された最小限のＳＩメッセージ内の知らされた追加のＳＩメッセージ（ＳＩ１）のシステム情報インデックス（ＳＩ＿ｉｎｄｅｘ＿１）に含まれるエリアポインタ（ａｒｅａ＿ｐｏｉｎｔｅｒ＿１）によって示されたエリアと比較することによって、無線セル２内で、すでに取得された追加のＳＩメッセージ（例えば、ＳＩ１）の有効性をチェックする。新しい最小限のＳＩメッセージ内で知らされた値タグおよびエリアの両方が、すでに取得された追加のＳＩメッセージ（例えば、ＳＩ１）の格納された値タグおよびエリアと同じである場合、そのすでに取得された追加のＳＩメッセージ（ＳＩ１）に含まれる対応するシステム情報を、無線セル２内でも適用することができ、ＵＥは無線セル２を介して追加のＳＩメッセージを取得する必要がない。この判定は、追加のＳＩメッセージごとに実行され得る。値タグの有効性のチェックおよびエリア情報の有効性のチェックの順序は制限されず、すなわち、空間的有効性を時間的有効性の前にチェックすることができ、もしくはその逆の順序でチェックすることができ、またはそれらを同時にチェックすることができる。
【００９４】
上記のシナリオは、ＵＥが新しい無線セル２に移動することを例示的に仮定したが、改善されたシステムの取得手順は、セル内に留まっているＵＥによって実行することもできる。例えば、ＵＥが同じ無線セル内に留まっている限り、システム情報の空間的有効性が維持されることが例示的に仮定され得る。それに応じて、追加のＳＩメッセージのシステム情報インデックス内でブロードキャストされたエリアポインタが、前と同じエリアを引き続き指し示す。しかし、ｇＮＢ１は、追加のＳＩメッセージ（例えば、ＳＩ１）のうちの１つまたは複数に含まれる一部のシステム情報パラメータを変更すると決定することがある。それに応じて、ｇＮＢ１は、対応する値タグの値も変更し（例えば、ｖａｌｕｅ＿ｔａｇ＿１を例えば１だけインクリメントし）、最小限のＳＩメッセージ内の変更された追加のＳＩメッセージに関連して、変更された値タグの値をブロードキャストする。追加のＳＩメッセージの値タグの値が変化したと決定しているＵＥは、以前の追加のＳＩメッセージを介して取得された対応するシステム情報が有効でなくなっていることを、この決定から導き出し、無線セル１内でｇＮＢ１によって送信された対応する追加のＳＩメッセージ（例えば、ＳＩ１）を再取得すると決定する。
【００９５】
上記では、エリアポインタが前にすでに定義されたエリアを指し示すことが仮定されていた。これに関して、使用できるさまざまなエリアが存在することがある。一般に、他のＵＥの手順に関して、通常は１つまたは複数のエリアがすでに定義されていることに、注意するべきである。例えば、前に説明したように、ネットワークベースのモビリティを制御するために、１つまたは複数の追跡エリアが定義され得る。加えて、前に説明したように、ＵＥが新しいＲＲＣ非アクティブ状態にある場合のページングメカニズムを実装するために、ＲＡＮベースの通知エリアが定義され得る。別の例は、前に詳細に説明したように、特定のＵＥのみがアクセスできる無線セルで構成されている限定加入者グループのエリアである。
【００９６】
別のエリアタイプを使用してシステム情報の有効なエリア（すなわち、システム情報の一部を同じように適用できる複数のｇＮＢを含むエリア）を定義する代わりに、前述の目的のために、新しいエリアタイプを定義できる。したがって、使用できるさらに別のエリアは、システム情報エリアであり、システム情報エリアは、システム情報の少なくとも一部を同じように適用できる複数の無線セルのエリアであると通常は理解されるべきである。言い換えると、１つのシステム情報エリア内で、無線セルは、１つまたは複数の追加のＳＩメッセージからの同じシステム情報パラメータを使用し、したがって、同じシステム情報を各無線セル内で送信する。これに関して、３ＧＰＰでは、システム情報エリアの定義、設定、および維持などが行われるかどうか、行われる場合はどのように行われるかに関して、合意に達していない。
【００９７】
上記の説明では、主にＵＥ側で実行される手順に重点を置いていた。しかし、ｇＮＢも、最小限のＳＩメッセージ、追加のＳＩメッセージをＵＥに提供するための対応するステップを実行することによって、前述の改善されたシステム情報取得手順に参加する。ｇＮＢは、上記および下記において説明されているように、最小限のＳＩメッセージの内容、特に、追加のＳＩメッセージに関連付けられるシステム情報インデックスを生成できる必要がある。
【００９８】
さらに、（１つまたは複数の追加のＳＩメッセージの）特定のシステム情報は、特定のエリア（追跡エリア、またはＣＳＧエリア、またはＲＡＮベースの通知エリア、または単純にシステム情報エリアなど）の複数の無線セル内で同じように適用可能でなければならないため、それらのエリア内のｇＮＢは、追加のＳＩメッセージのシステム情報、および最小限のＳＩメッセージ内でｇＮＢがブロードキャストするシステム情報インデックスを調整する必要がある。例えば、１つの追加のＳＩメッセージのシステム情報が変更された場合、その１つの追加のＳＩメッセージの有効エリアに属しているすべてのｇＮＢは、同じ変更された追加のＳＩメッセージが送信されるように、かつ同じ更新されたシステム情報インデックス（例えば、更新された値タグ）が最小限のＳＩメッセージ内でブロードキャストされるように、同期される必要がある。
【００９９】
以下では、実施形態例が説明され、この実施形態例に従って、システム情報インデックスのエリアポインタがエリアタイプをエンコードし、それに基づいてＵＥは、その後、エリアタイプが指し示す対応するエリアを決定する状況になる。エリアポインタが、２ビットの長さを有し、したがって、最大で４つの異なるタイプのエリアをエンコードできることが、例示的に仮定される。エリアポインタの異なる値と対応するエリアタイプの間の例示的な関連付けが、異なる項目を含むエリアタイプリストの形態で図１４に示されており、００は追跡エリアタイプをエンコードし、０１はＲＡＮベースのエリアタイプをエンコードし、１０はＳＩエリアタイプをエンコードし、１１はセルタイプをエンコードする。エリアポインタ情報をエンコードし、正しくデコードできるようにするために、この関連付けの情報が、ｇＮＢ内だけでなく、ＵＥによっても格納されることが仮定され得る。
【０１００】
図１３に示されたシステム情報インデックスは、例えば８ビットの長さを有することができる値タグ、および２ビットを含むエリアポインタで構成されている。したがって、各システム情報インデックスは１０ビットであり、最小限のＳＩメッセージによって運ばれる追加の情報は５０ビットである（システム情報インデックスが含まれる５つの追加のＳＩメッセージの各々について１０ビット）。
【０１０１】
それに応じて、ＵＥは、エリアポインタおよび前述したエリアタイプの関連付けに基づいて、エリアタイプを決定する。次に、ＵＥは、識別されたエリアタイプに基づき、エリアの各タイプに関してすでに取得されている識別情報を使用することによって、実際のエリア（例えば、エリアの識別情報）を決定してよい。例えば、エリアポインタが追跡エリアタイプ（すなわち、図１４の例では００）を指し示していることを例示的に仮定して、ＵＥは、追跡エリアの１つまたは複数のＩＤについて認識し、このようにして、追跡エリアタイプと追跡エリア識別情報の間の適切な関連付けを行ってよい。したがって、ＵＥは、知らされた追加のＳＩメッセージが追跡エリアタイプに関連付けられていることを最初に決定し、次に、（ｇＮＢ１によってブロードキャストされた）現在の追跡エリアＩＤを決定する。次に、上で説明された改善されたシステム情報取得手順に従って、その追加のＳＩメッセージが前にすでに取得されており、現在の最小限のＳＩメッセージ内で知らされた追跡エリアと同じ追跡エリアで有効である場合、ＵＥがその追加のＳＩメッセージを再取得する必要はない。
【０１０２】
言い換えると、ＵＥが、ソースセルと同じ追跡エリアに属しているターゲットセルに移動する場合、ＵＥがソースセル内で取得した追加のＳＩメッセージを、ターゲットセル内で同じように適用することができ、同じ追加のＳＩメッセージの再取得を回避することができる。
【０１０３】
エリアポインタが他の可能性のあるエリアタイプ（例えば、ＲＡＮベースの通知エリア、ＣＳＧエリア、またはシステム情報エリア）のいずれかを指し示す場合にも、同様のアプローチが想定される。いずれの場合にも、ＵＥは、エリアポインタ、前述のエリアタイプの関連付け、および最終的に前述の識別されたエリアタイプのエリアＩＤに基づいて、エリアＩＤを決定する。ＲＡＮベースの通知エリア、ＣＳＧエリア、およびシステム情報エリアのＩＤは、例えばｇＮＢによってブロードキャストされるか、または専用のシグナリングでＵＥに提供されて、あらかじめＵＥに知られている。
【０１０４】
このようにして決定されたエリアＩＤに基づいて、ＵＥは、追加のＳＩメッセージ内ですでに取得されたシステム情報が現在の状況（例えば、新しいセル内）においても適用可能であるかどうかを判定することができる。端的に言えば、ターゲットセルがソースセルと同じエリア（ＲＡＮベースの通知エリア、ＣＳＧエリア、またはシステム情報エリア）に属している場合、ＵＥがソースセル内で取得した追加のＳＩメッセージを、ターゲットセル内で同じように適用することができ、同じ追加のＳＩメッセージの再取得を回避することができる。
【０１０５】
例示的なシナリオでは、図１４、１５、および１６に関連して、異なるタイプのエリアが説明される。例示的に仮定されているように、同じ追加のＳＩメッセージＳＩ１（具体的には、それに含まれるシステム情報）を１つの追跡エリア内で適用することができ、同じ追加のＳＩメッセージＳＩ２（具体的には、それに含まれるシステム情報）を１つのＲＡＮベースの通知内で適用することができ、同じ追加のＳＩメッセージＳＩ３（具体的には、それに含まれるシステム情報）を１つのシステム情報エリア内で適用することができ、同じ追加のＳＩメッセージＳＩ４／ＳＩ５（具体的には、それに含まれるシステム情報）を１つのみのセル内で適用することができる。図１５は、説明されたシナリオを反映するように、対応するエリアポインタの値を示している。
【０１０６】
それに応じて、ＳＩ１については、新しいセルおよび古いセルが同じ追跡エリアＩＤ（および同じｖａｌｕｅ＿ｔａｇ＿１の値）を有している場合、古いセル内で取得された追加のＳＩメッセージＳＩ１に含まれるシステム情報を、ＵＥによって新しいセル内でも使用することができる。ＳＩ２については、新しいセルおよび古いセルが同じＲＡＮベースの通知エリアＩＤ（および同じｖａｌｕｅ＿ｔａｇ＿２の値）を有している場合、古いセル内で取得された追加のＳＩメッセージＳＩ２に含まれるシステム情報を、ＵＥによって新しいセル内でも使用することができる。ＳＩ３については、新しいセルおよび古いセルが同じシステム情報エリアＩＤ（および同じｖａｌｕｅ＿ｔａｇ＿３の値）を有している場合、古いセル内で取得された追加のＳＩメッセージＳＩ３に含まれるシステム情報を、ＵＥによって新しいセル内でも使用することができる。一方、追加のＳＩメッセージＳＩ４およびＳＩ５内のシステム情報はセルに固有（エリアポインタ１１）であり、したがってＵＥは、新しいセルに入るときに、いずれの場合でも、追加のＳＩメッセージＳＩ４およびＳＩ５を取得する必要がある。
【０１０７】
さらに別の実施形態例によれば、空間的有効性が追加のＳＩメッセージのシステム情報インデックスにエンコードされる方法に関して、柔軟性がさらに向上されなければならない。上の実施形態では、システム情報の有効なエリアは、システム情報インデックスのエリアポインタフィールドにエンコードされ、ＵＥがエリアタイプを最初に決定し、次にエリアＩＤを決定できるようにする。しかし、この解決策では、ＵＥが単純にエリアタイプからエリアＩＤを決定できる必要があり、例えば、エリアＩＤが（例えば、無線セル内でブロードキャストされて）あらかじめＵＥに知られていることが必要になることがある。次の実施形態例では、エリアＩＤが追加のＳＩメッセージのシステム情報インデックスに直接エンコードされるため、エリアＩＤの以前の知識が不要であるという優位性を有することを促進する。
【０１０８】
図１７は、５つの追加のＳＩメッセージのシステム情報インデックスの例示的な構成を示している。この図から明らかなように、追加のＳＩメッセージＳＩ４のシステム情報インデックスが、他の追加のＳＩメッセージのシステム情報インデックスのようなエリアポインタではなく、エリアＩＤ自体（例えば、８ビットを含むシステム情報エリアＩＤ）を含むことが仮定される。それに応じてＵＥは、上で説明されたようにエリアポインタからエリアＩＤを決定することができるが、図１７に示されているようにエリアＩＤを直接含むシステム情報インデックスを処理することもできる。
【０１０９】
システム情報インデックスが（例えば、２ビットの）エリアポインタフィールドまたは（例えば、８ビットの）エリアＩＤを含むかどうかをＵＥが知るようにする１つの例示的な方法は、ＡＳＮ．１符号化の使用である。各システム情報インデックスのエリアポインタフィールドに関して、適切なＡＳＮ．１符号化は、異なるフィールド（エリアポインタフィールドおよびエリアＩＤフィールド）を区別して選択できるようにする。例示的なＡＳＮ．１符号化は、次のとおりであってよい。
Ａｒｅａ＿Ｐｏｉｎｔｅｒ  ＣＨＯＩＣＥ  ｛
ａｒｅａ−ｐｏｉｎｔｅｒ  ＩＮＴＥＧＥＲ  （０  ．．３），
−−  ０：  追跡エリアタイプを参照する
−−  １：  ＲＡＮエリアタイプを参照する
−−  ２：  ＳＩエリアタイプを参照する
−−  ３：  セルタイプ
ｓｉ−ａｒｅａ−ＩＤ  ＩＮＴＥＧＥＲ  （０  ．．２５５）
｝
【０１１０】
以下では、実施形態例が説明され、この実施形態例に従って、システム情報インデックスのエリアポインタが、エリア識別情報を使用してエリアリストのエリアリスト項目をエンコードする。エリアＩＤの例示的なリストが図１８に示されており、５つの追加のＳＩメッセージに対応するシステム情報インデックスが図１９に示されている。この図から明らかなように、各システム情報インデックスはエリアポインタフィールドを含んでおり、エリアポインタフィールドの値は、図１８のエリアＩＤリストのリスト項目を指し示している。３ビットが、システム情報インデックス内のエリアリストポインタフィールドに使用され、このようにして、最大で８つの異なるエリアＩＤを区別できるようにすることが、例示的に仮定される（実際のエリアリストのサイズは、最大のリスト項目数を８として、動的であることができる）。システム情報インデックスのエリアポインタをデコードできるようにするために、ＵＥがエリアＩＤリストを取得していることが仮定される。１つの例示的な選択肢は、エリアリストが最小限のＳＩメッセージ内でも送信されることであり、その場合、最小限のＳＩメッセージは、エリアリストだけでなく、すべてのシステム情報インデックスも運ぶ。別の例示的な選択肢は、後の実施形態においてさらに詳細に説明されるように、エリアリストが、例えばハンドオーバ手順の間に、前のセルからすでに取得されていることである。
【０１１１】
エリアリストポインタ用の３ビットおよび値タグ用の８ビットを例示的に仮定して、すべての追加のＳＩメッセージのシステム情報インデックスを搬送するには、５５ビットが必要である。さらに、エリアリストのサイズは、その長さ（すなわち、リスト項目の数）によって決まり、１つのリスト項目につき８ビット（すなわち、ＩＤ用の８ビット）を例示的に仮定することができ、例えばＡＳＮ．１コードは、ＵＥが異なるリスト項目を区別できるようにする。任意選択的に、エリアリスト内のリスト項目フィールド用に、３ビットが想定され得る。
【０１１２】
この解決策は、少数の異なるエリアのみがシステム情報の空間的有効性に使用される場合に、特に有用である。複数の追加のＳＩメッセージが同じエリア（例えば、同じＳＩエリア）に関連付けられる場合、リスト内のそのＳＩエリアのＩＤを含むリスト項目は１つで十分であり、最小限のＳＩメッセージ内で運ばれるエリアリストは大きくならない。また、セルが複数のエリアＩＤ（例えば、追跡エリアＩＤまたはＲＡＮベースの通知エリアＩＤ）を含む場合、説明された解決策は、ｇＮＢがエリアＩＤを明確に識別できるようにする。
【０１１３】
上で説明された実施形態とは無関係に使用され得る（例えば、組み合わせられるか、またはスタンドアロンで使用されてよい）さらに別の実施形態によれば、ハンドオーバ手順に関連してシステム情報取得手順が改善されなければならない。前に説明したように、一部の追加のＳＩメッセージは、要求時に（すなわち、ｇＮＢでＵＥが明示的に要求したときに）のみ使用可能になる。図７に示された例示的なハンドオーバと一致して、ソースセルからターゲットセルへのハンドオーバ手順を実行するときに、ＵＥは、ハンドオーバが完了した後に（例えば、図７のステップ９の後に）、ターゲットセルの最小限のＳＩメッセージを読み取る。それによって初めて、ＵＥは、例えば、さまざまな実施形態のうちの１つに関して上で説明された改善されたシステム情報取得手順に従って、新しいターゲットセル内でどの追加のＳＩメッセージを取得するべきかを決定できる。しかし、この決定することは、時間がかかり、エンティティ間の多くのトランザクションを含む。
【０１１４】
ＵＥが要求時に追加のＳＩメッセージを早期に取得できるようにするために、これらのさらに別の実施形態に従って、ハンドオーバ手順が改善されなければならない。
【０１１５】
これらの実施形態のうちの１つによれば、ハンドオーバ準備段階の間に、ターゲットｇＮＢが、最小限のＳＩメッセージ内でターゲットｇＮＢによってブロードキャストされるシステム情報インデックスを、例えばハンドオーバ要求ＡＣＫメッセージ内で、ソースｇＮＢに送信する（図７のステップ６を参照）。次にソースｇＮＢが、ハンドオーバ手順の間に、例えばハンドオーバコマンドメッセージの一部として、追加のＳＩメッセージのターゲットセルに関連するシステム情報インデックスをＵＥに提供できる。ＵＥは、ターゲットセルに関連するシステム情報インデックスを使用して、ターゲットセル内で要求時に使用できる追加のＳＩメッセージのうちのどれを取得するかを決定することができる。したがって、ＵＥは、ハンドオーバが完了する前に、どの追加のＳＩメッセージを取得するかをすでに知っており、早期の時点で、対応する追加のＳＩメッセージ要求を送信できる。例えば、ＵＥは、ハンドオーバ実行段階の間に、例えば、ターゲットｇＮＢとのランダムアクセスチャネル手順を実行するときに、追加のＳＩメッセージ要求を送信できる（ＵＥとターゲットｇＮＢの間のＲＡＣＨ手順は、ソースｇＮＢからハンドオーバコマンドメッセージを受信した後に、ＵＥによって実行され得る）。これに関して、ＲＡＣＨ手順のメッセージのうちの１つが、例えばコンテンションフリーのＲＡＣＨ手順（図６を参照）のランダムアクセスプリアンブル送信を使用して、ＵＥによって使用され得る。ハンドオーバのシナリオにおけるＲＡＣＨ手順のさらにその後のメッセージ（コンテンションベースのＲＡＣＨ手順における第３のメッセージに類似しており、図６には示されていない）は、ＲＲＣ接続再構成完了メッセージ（図７では、ハンドオーバ完了メッセージと呼ばれる）を運ぶことができる。
【０１１６】
ＵＥによって要求されたターゲットセルの追加のＳＩメッセージが、例えばＲＡＣＨ手順のメッセージ（例えば、第１のメッセージで追加のＳＩ要求を受信した後の、コンテンションフリーのＲＡＣＨ手順のランダムアクセス応答メッセージ）内でＵＥに配信され得る。代替として、ターゲットｇＮＢは、ＲＲＣ接続再構成完了メッセージで追加のＳＩ要求を受信した後に、異なる専用のメッセージを使用して、要求された追加のＳＩメッセージをＵＥに提供してよい。
【０１１７】
代替の実施形態では、ＵＥ自体は、要求時の追加のＳＩメッセージをターゲットセルに対して要求する必要はなく、この要求は、ハンドオーバ準備中にソースｇＮＢによって実行される。具体的には、ソースｇＮＢは、ＵＥがどの追加のＳＩメッセージを受信したいかに関して、例えば測定報告メッセージ（図７のステップ２を参照）を介して、ＵＥによって知らされる。次に、ソースｇＮＢは、例えばハンドオーバ準備手順の間に（例えば、ハンドオーバ要求メッセージ（図７のステップ４を参照）で）、これらの追加のＳＩメッセージをターゲットｇＮＢに対して要求する。前の代替手段と同様に、ターゲットｇＮＢは、次に、ＵＥによって要求されたターゲットセルの追加のＳＩメッセージを、例えばＲＡＣＨ手順のメッセージ（例えば、コンテンションフリーのＲＡＣＨ手順のランダムアクセス応答メッセージ）で、ＵＥに配信することができる。代替として、ターゲットｇＮＢは、異なる専用のメッセージを使用して、要求された追加のＳＩメッセージをＵＥに提供してよい。
【０１１８】
＜その他の態様＞
第１の態様によれば、ユーザ機器が提供される。ユーザ機器は、最小限のシステム情報メッセージを、移動通信システムの第１の無線セルを制御する第１の無線基地局から受信する、受信機を備える。ユーザ機器によって取得できる第１の無線セルのシステム情報は、最小限のシステム情報メッセージ内および１つまたは複数の追加のシステム情報メッセージ内で運ばれる。最小限のシステム情報メッセージは、第１の無線セルにアクセスするためのシステム情報を含み、少なくとも１つのシステム情報インデックスを含む。各システム情報インデックスは、追加のシステム情報メッセージのうちの１つに関連付けられる。システム情報メッセージのインデックスは、値タグおよびエリアポインタを含み、エリアポインタは、すでに定義されている１つのエリアを指し示す。ユーザ機器は、最小限のシステム情報メッセージ内で受信されたシステム情報インデックスによって示されたのと同じ値タグおよび同じエリアに関連付けられている追加のシステム情報メッセージをユーザ機器が前にすでに取得しているかどうかを判定する、処理回路を備える。この判定が肯定的である場合、処理回路は、前に取得された前述の追加のシステム情報メッセージに含まれるシステム情報が第１の無線セルに適用可能であると決定する。
【０１１９】
第１の態様に加えて提供される第２の対応によれば、この判定が否定的である場合、処理回路は、前に取得された前述の追加のシステム情報メッセージに含まれるシステム情報を第１の無線セルに適用できないと決定し、第１の無線セルの追加のシステム情報メッセージを第１の無線基地局から取得すると決定する。
【０１２０】
第１または第２の態様に加えて提供される第３の態様によれば、エリアタイプリストがユーザ機器に格納され、エリアタイプリスト内の各項目が、リスト番号およびエリアタイプに関連付けられ、エリアポインタが、エリアタイプリストのリスト番号を示す。処理回路は、動作時に、エリアポインタおよびエリアタイプリストに基づいてエリアタイプを決定し、決定されたエリアタイプおよびこの決定されたエリアタイプのすでに取得されているエリア識別情報に基づいて、エリア識別情報を決定する。任意選択的に、処理回路は、動作時に、決定されたエリアタイプおよび決定されたエリア識別情報に基づいて、前に取得された追加のシステム情報メッセージを同じエリアに適用できるかどうかを判定する。
【０１２１】
第３の態様に加えて提供される第４の態様によれば、エリアタイプは、追跡エリア、無線アクセスネットワーク、ＲＡＮベースの通知エリア、限定加入者グループエリア、無線セル、システム情報エリアのうちの１つである。
【０１２２】
第３または第４の態様に加えて提供される第５の態様によれば、受信機は、動作時に、第２の最小限のシステム情報メッセージを第１の無線セルの第１の無線基地局から受信する。第２の最小限のシステム情報メッセージは、第１の無線セルにアクセスするためのシステム情報を含み、１つの拡張システム情報インデックスを含む。拡張システム情報インデックスは、追加のシステム情報メッセージのうちの１つに関連付けられる。拡張システム情報インデックスは、値タグおよびシステム情報エリアの識別情報を含む。処理回路は、動作時に、ユーザ機器が、拡張システム情報インデックスに含まれるのと同じ値タグおよび同じシステム情報エリアに関連付けられている追加のシステム情報メッセージを前にすでに取得しているかどうかを判定する。この判定が肯定的である場合、処理回路は、動作時に、前に取得された前述の追加のシステム情報メッセージに含まれるシステム情報が第１の無線セルに適用可能であると決定する。
【０１２３】
第１または第２の態様に加えて提供される第６の態様によれば、ユーザ機器は、対応するエリア識別情報を含むエリアリストを取得する。エリアリスト内の各項目は、リスト番号およびエリア識別情報に関連付けられており、エリアポインタが、エリアリストのリスト番号を示す。処理回路は、動作時に、エリアポインタおよびエリアリストに基づいてエリア識別情報を決定する。任意選択的に、ユーザ機器は、エリアリストを受信された最小限のシステム情報メッセージから取得する。任意選択的に、処理回路は、動作時に、決定されたエリア識別情報に基づいて、前に取得された追加のシステム情報メッセージを同じエリアに適用できるかどうかを判定する。
【０１２４】
第１〜第６の態様のうちの１つに加えて提供される第７の態様によれば、最小限のシステム情報メッセージは、第１の無線セル内のユーザ機器によって取得され得る追加のシステム情報メッセージごとに、１つのシステム情報インデックスを含む。
【０１２５】
第１〜第７の態様のいずれかに加えて提供される第８の態様によれば、追加のシステム情報メッセージのうちの１つまたは複数は、第１の無線セル内の第１の無線基地局によってブロードキャストされるか、またはユーザ機器によって、第１の無線基地局に対して同じ追加のシステム情報メッセージを要求するときに取得され得る。
【０１２６】
第１〜第８の態様のうちの１つに加えて提供される第９の態様によれば、処理回路は、動作時に、関連付けられた追加のシステム情報メッセージに関連して、システム情報インデックスの受信された値タグおよびシステム情報インデックスによって示されたエリアに関する情報を格納する。任意選択的に、エリアに関する格納された情報は、示されたエリアのタイプに関する情報および示されたエリアの識別に関する情報を含む。
【０１２７】
第１〜第９の態様のうちの１つに加えて提供される第１０の態様によれば、受信機は、動作時に、第２の最小限のシステム情報メッセージを第１の無線セルの第１の無線基地局から受信する。第２の最小限のシステム情報メッセージは、第１の無線セルにアクセスするためのシステム情報を含み、第２のシステム情報インデックスを含む。第２のシステム情報インデックスは、ユーザ機器が前にすでに取得した追加のシステム情報メッセージに関連付けられる。処理回路は、動作時に、すでに取得されている追加のシステム情報メッセージに関連付けられた値タグの値が、最小限のシステム情報メッセージの第２のシステム情報インデックスに含まれる値タグの値と異なっていると決定したときに、すでに取得されているシステム情報メッセージの内容が変化したと決定する。処理回路は、動作時に、すでに取得されている追加のシステム情報メッセージの内容が変化したと決定したときに、追加のシステム情報メッセージを再取得すると決定する。
【０１２８】
第１〜第１０の態様のうちの１つに加えて提供される第１１の態様によれば、前にすでに取得されたシステム情報メッセージは、ユーザ機器が異なる無線セル内または第１の無線セル内にあったときに、ユーザ機器の受信機によって受信された。
【０１２９】
第１〜第１１の態様のいずれかに加えて提供される第１２の態様によれば、ユーザ機器は、第２の無線基地局の制御下で、第２の無線セルに移動している。受信機は、動作時に、ユーザ機器が追加のシステム情報メッセージを要求するときに第２の無線セル内で取得できる１つの追加のシステム情報メッセージに関連付けられた少なくとも１つのシステム情報インデックスを、第１の無線基地局から受信する。ＵＥの送信機は、動作時に、第２の無線セルに関連付けられたシステム情報インデックスで示された１つの追加のシステム情報メッセージを取得するための要求を、第２の無線基地局に送信する。任意選択的に、この要求は、第２の無線基地局に移動するときに、ユーザ機器と第２の無線基地局の間で実行されるランダムアクセスチャネル手順のメッセージで、送信機によって送信される。任意選択的に、受信機は、動作時に、要求の送信に使用されるメッセージの後に、ランダムアクセスチャネル手順のメッセージで、要求された追加のシステム情報メッセージを、第２の無線基地局から受信する。
【０１３０】
第１〜第１１の態様のいずれかに加えて提供される第１３の態様によれば、ユーザ機器は、第２の無線基地局の制御下で、第２の無線セルに移動している。ユーザ機器が第２の無線セル内で取得できる少なくとも１つの追加のシステム情報メッセージは、同じ追加のシステム情報メッセージを要求するときに使用可能になる。受信機は、動作時に、ランダムアクセスチャネル手順のメッセージで、追加のシステム情報メッセージを、第２の無線基地局から受信する。
【０１３１】
第１４の態様によれば、無線基地局が提供される。無線基地局は、無線基地局によって制御される第１の無線セルにアクセスするためのシステム情報を含み、少なくとも１つのシステム情報インデックスを含む最小限のシステム情報メッセージを生成する、処理回路を備える。ユーザ機器によって取得できる第１の無線セルのシステム情報は、最小限のシステム情報メッセージ内および１つまたは複数の追加のシステム情報メッセージ内で運ばれる。各システム情報インデックスは、追加のシステム情報メッセージのうちの１つに関連付けられる。システム情報メッセージのインデックスは、値タグおよびエリアポインタを含む。エリアポインタは、すでに定義されている１つのエリアを指し示す。無線基地局は、最小限のシステム情報メッセージをユーザ機器に送信する送信機を備える。
【０１３２】
第１４の態様に加えて提供される第１５の態様によれば、送信機は、動作時に、追加のシステム情報メッセージのうちの１つまたは複数をユーザ機器に送信する。任意選択的に、処理回路は、動作時に、関連付けられた追加のシステム情報メッセージを適用できるエリアを示すために、システム情報インデックスのエリアポインタの値を決定する。
【０１３３】
第１４または第１５の態様に加えて提供される第１６の態様によれば、エリアポインタが、エリアタイプリストのリスト番号を示し、エリアタイプリスト内の各項目が、リスト番号およびエリアタイプに関連付けられる。処理回路は、動作時に、追加のシステム情報メッセージを適用できるエリアタイプに関連付けられたリスト番号を決定し、決定されたリスト番号を示すために、その追加のシステム情報メッセージのシステム情報インデックス内のエリアポインタを設定する。任意選択的に、エリアタイプは、追跡エリア、無線アクセスネットワーク、ＲＡＮベースの通知エリア、限定加入者グループエリア、無線セル、システム情報エリアのうちの１つである。
【０１３４】
第１４〜第１６の態様のいずれかに加えて提供される第１７の態様によれば、処理回路は、動作時に、値タグおよびシステム情報エリアの識別情報を含むために、１つの追加のシステム情報メッセージに関連付けられるシステム情報インデックスを生成する。
【０１３５】
第１４または第１５の態様に加えて提供される第１８の態様によれば、エリアポインタが、エリアリストのリスト番号を示し、エリアリスト内の各項目が、リスト番号およびエリア識別情報に関連付けられる。処理回路は、動作時に、追加のシステム情報を適用できるエリア識別情報に関連付けられたリスト番号を決定し、決定されたリスト番号を示すために、その追加のシステム情報メッセージのシステム情報インデックス内のエリアポインタを設定する。任意選択的に、処理回路は、動作時に、エリアリストを含むために、最小限のシステム情報メッセージを生成する。
【０１３６】
第１４〜第１８の態様のいずれかに加えて提供される第１９の態様によれば、ユーザ機器は、第２の無線基地局の制御下で、第２の無線セルに移動している。無線基地局は受信機を備えており、この受信機は、動作時に、ユーザ機器が追加のシステム情報メッセージを要求するときに第２の無線セル内で取得できる１つの追加のシステム情報メッセージに関連付けられた少なくとも１つのシステム情報インデックスを、第２の無線基地局から受信する。送信機は、動作時に、第２の無線セルに関連する受信された少なくとも１つのシステム情報インデックスをユーザ機器に送信する。受信機は、動作時に、第２の無線セルに関連付けられたシステム情報インデックスで示された１つの追加のシステム情報メッセージを取得するための要求を、ユーザ機器から受信する。任意選択的に、この要求は、第２の無線基地局に移動するときに、ユーザ機器と第２の無線基地局の間で実行されるランダムアクセスチャネル手順のメッセージで、受信機によって受信される。
【０１３７】
＜本開示のハードウェアおよびソフトウェアの実装＞
本開示は、ソフトウェア、ハードウェア、またはハードウェアと連携するソフトウェアによって実現され得る。前述の各実施形態の説明において使用された各機能ブロックは、集積回路などのＬＳＩによって部分的または全体的に実現することができ、各実施形態において説明された各プロセスは、同じＬＳＩまたはＬＳＩの組み合わせによって部分的または全体的に制御されてよい。このＬＳＩは、複数のチップとして個別に形成されてよく、または機能ブロックの一部もしくは全部を含むように、１つのチップが形成されてもよい。このＬＳＩは、それに結合されたデータ入力およびデータ出力を含んでよい。このＬＳＩは、本明細書では、集積度の違いに応じて、ＩＣ（集積回路：ｉｎｔｅｇｒａｔｅｄ  ｃｉｒｃｕｉｔ）、システムＬＳＩ、スーパーＬＳＩ、またはウルトラＬＳＩと呼ばれることがある。しかし、集積回路を実装する手法は、ＬＳＩに限定されず、専用回路、汎用プロセッサ、または特殊用途のプロセッサを使用して実現されてよい。加えて、ＬＳＩの製造後にプログラムすることができるＦＰＧＡ（フィールドプログラマブルゲートアレイ：Ｆｉｅｌｄ  Ｐｒｏｇｒａｍｍａｂｌｅ  Ｇａｔｅ  Ａｒｒａｙ）、またはＬＳＩ内に配置された回路セルの接続および設定を再構成できるリコンフィギャラブルプロセッサが、使用されてよい。本開示は、デジタル処理またはアナログ処理として実現され得る。半導体技術またはその他の派生技術の進歩の結果として、将来の集積回路技術がＬＳＩを置き換える場合、機能ブロックは、将来の集積回路技術を使用して統合され得る。バイオテクノロジーが適用される可能性もある。
【０１３８】
さらに、さまざまな実施形態が、プロセッサによって実行されるソフトウェアモジュールを用いて実装されるか、またはハードウェアにおいて直接実装されてもよい。ソフトウェアモジュールとハードウェア実装の組み合わせが可能であってもよい。ソフトウェアモジュールは、任意の種類のコンピュータ可読記憶媒体（例えば、ＲＡＭ、ＥＰＲＯＭ、ＥＥＰＲＯＭ、フラッシュメモリ、レジスタ、ハードディスク、ＣＤ−ＲＯＭ、ＤＶＤなど）に格納されてよい。異なる実施形態の個々の特徴が、個別に、または任意の組み合わせで、別の実施形態の対象になってよいことに、さらに注意するべきである。
【０１３９】
特定の実施形態において示された本開示に対して、多数の変形および／または変更が行われてよいことが、当業者によって理解されるであろう。したがって、本実施形態は、あらゆる点において、例示的であり、制限するものではないと考えられるべきである。
【図１】
2020523847.tif 000003
【図２】
2020523847.tif 000004
【図３】
2020523847.tif 000005
【図４】
2020523847.tif 000006
【図５】
2020523847.tif 000007
【図６】
2020523847.tif 000008
【図７】
2020523847.tif 000009
【図８】
2020523847.tif 000010
【図９】
2020523847.tif 000011
【図１０】
2020523847.tif 000012
【図１１】
2020523847.tif 000013
【図１２】
2020523847.tif 000014
【図１３】
2020523847.tif 000015
【図１４】
2020523847.tif 000016
【図１５】
2020523847.tif 000017
【図１６】
2020523847.tif 000018
【図１７】
2020523847.tif 000019
【図１８】
2020523847.tif 000020
【図１９】
2020523847.tif 000021
【国際調査報告】
2020523847.tif 000022
2020523847.tif 000023
2020523847.tif 000024
2020523847.tif 000025